(57)【特許請求の範囲】
【請求項１】
映像信号を受信する映像入力手段と、
他の映像信号を受信する他映像入力手段と、
前記映像入力手段が受信した前記映像信号によって特定される画像表示サイズに対応して当該映像信号に基づく第１画像の表示位置の情報を記憶する記憶手段と、
前記映像入力手段が受信した前記映像信号によって特定される画像表示サイズを判定する信号判定手段と、
前記第１画像と、前記他映像入力手段が受信した前記他の映像信号に基づく第２画像とを同時に映像出力する場合に、前記信号判定手段が判定した前記映像信号によって特定される画像表示サイズと当該画像表示サイズに対応して前記記憶手段に記憶された前記第１画像の表示位置の情報とに基づいて、当該第１画像の映像出力表示態様を決定するための決定手段と、
前記第２画像を映像出力するのと同時に、前記決定手段により決定された前記映像出力表示態様で当該第１画像を映像出力する表示制御手段とを備える、映像出力装置。
【請求項２】
前記決定手段が決定した前記映像出力表示態様に応じて、音声の出力切替を行なう音声制御手段をさらに備える、請求項１に記載の映像出力装置。
【請求項３】
前記表示制御手段は、前記映像入力手段が前記映像信号を受信している期間、前記映像出力表示態様で前記第１画像および前記第２画像を映像出力する、請求項１または２に記載の映像出力装置。
【請求項４】
前記記憶手段は、前記映像出力装置から着脱可能な記録媒体である、請求項１〜３のいずれかに記載の映像出力装置。
【請求項５】
情報を取得する情報取得手段と、
前記情報の種別に対応する映像信号によって特定される画像表示サイズの情報を記憶する記憶手段と、
前記情報取得手段が取得した情報の種別を判定する情報判定手段と、
前記情報判定手段が判定した前記情報の種別と当該情報の種別に対応して前記記憶手段に記憶された前記画像表示サイズの情報とに基づいて、映像出力するための映像出力信号によって特定される画像表示サイズを決定する決定手段と、
前記情報取得手段が取得した前記情報を、前記決定手段により決定された映像出力信号によって特定される画像表示サイズに基づく映像信号により出力する映像信号出力手段とを備える、映像信号生成装置。
【請求項６】
前記記憶手段は、前記映像信号生成装置から着脱可能な記録媒体である、請求項５に記載の映像信号生成装置。
【発明の詳細な説明】
【技術分野】
【０００１】
本発明は、映像出力装置および映像信号生成装置に関し、特に、情報を表示する画像を処理する映像出力装置および映像信号生成装置に関する。
【背景技術】
【０００２】
近年、液晶テレビ、プラズマテレビ等の映像出力装置の大画面化、高解像度化、高機能化、低価格化が進みつつある。そのため、近年の映像出力装置は、インターネットにアクセスする機能を有し、表示中の番組に対応する情報を表示することも可能である。また、近年の映像出力装置は、パソコンのモニタと同等の解像度を有するため、パソコンのモニタとしても使用可能となっている。そのため、映像出力装置に、パソコンの映像と、テレビチューナから得られた映像を同時に表示させることが求められている。
【０００３】
特開平５−２０７３９４号公報（特許文献１）には、テレビジョン受像機（映像出力装置）に、パソコンの映像と、テレビチューナから得られた映像を同時に表示させる技術（以下、従来技術Ａともいう）が開示されている。
【特許文献１】特開平５−２０７３９４号公報
【発明の開示】
【発明が解決しようとする課題】
【０００４】
従来技術Ａでは、パソコンの映像を、テレビジョン受像機の画面の任意の位置に表示させるためには、位置の情報等をテレビジョン受像機に送信するための通信経路が必要であり、テレビジョン受像機（映像出力装置）の製作コストが高くなるという問題がある。
【０００５】
本発明は、上述の問題点を解決するためになされたものであって、その目的は、低コストで、異なる２つ以上の映像信号の各々に基づく画像の表示の自由度を向上させた映像出力装置を提供することである。
【０００６】
本発明の他の目的は、低コストで、異なる２つ以上の映像信号の各々に基づく画像の表示の自由度を向上させた映像出力装置に、映像信号を出力するための映像信号生成装置を提供することである。
【課題を解決するための手段】
【０００７】
上述の課題を解決するために、この発明のある局面に従う映像出力装置は、映像信号を受信する映像入力手段と、他の映像信号を受信する他映像入力手段と、映像入力手段が受信した映像信号によって特定される画像表示サイズに対応して当該映像信号に基づく第１画像の表示位置の情報を記憶する記憶手段と、映像入力手段が受信した映像信号によって特定される画像表示サイズを判定する信号判定手段と、第１画像と、他映像入力手段が受信した他の映像信号に基づく第２画像とを同時に映像出力する場合に、信号判定手段が判定した映像信号によって特定される画像表示サイズと当該画像表示サイズに対応して記憶手段に記憶された第１画像の表示位置の情報とに基づいて、当該第１画像の映像出力表示態様を決定するための決定手段と、第２画像を映像出力するのと同時に、決定手段により決定された映像出力表示態様で当該第１画像を映像出力する表示制御手段とを備える。
【００１０】
好ましくは、決定手段が決定した映像出力表示態様に応じて、音声の出力切替を行なう音声制御手段をさらに備える。
【００１１】
好ましくは、表示制御手段は、映像入力手段が映像信号を受信している期間、映像出力表示態様で映像出力する。
【００１２】
好ましくは、記憶手段は、映像出力装置から着脱可能な記録媒体である。
この発明の他の局面に従う映像信号生成装置は、情報を取得する情報取得手段と、情報の種別に対応する映像信号によって特定される画像表示サイズの情報を記憶する記憶手段と、情報取得手段が取得した情報の種別を判定する情報判定手段と、情報判定手段が判定した情報の種別と当該情報の種別に対応して記憶手段に記憶された画像表示サイズの情報とに基づいて、映像出力するための映像出力信号によって特定される画像表示サイズを決定する決定手段と、情報取得手段が取得した情報を、決定手段により決定された映像出力信号によって特定される画像表示サイズに基づく映像信号により出力する映像信号出力手段とを備える。
【００１３】
好ましくは、記憶手段は、映像信号生成装置から着脱可能な記録媒体である。
【発明の効果】
【００１４】
本発明に係る映像出力装置は、受信した映像信号によって特定される画像表示サイズと、記憶手段が記憶している第１画像の表示位置の情報とに基づいて決定された当該第１画像の映像出力表示態様で、当該第１画像を映像出力する。
【００１５】
したがって、映像信号に基づく画像の表示の自由度を向上させた映像出力装置を提供することができるという効果を奏する。
【００１６】
本発明に係る映像信号生成装置は、取得した情報の種別と、記憶手段が記憶している、情報の種別に対応する映像信号によって特定される画像表示サイズの情報とに基づいて決定された映像出力信号の種別に基づく映像信号により、取得した情報を出力する。
【００１７】
したがって、映像信号に基づく画像の表示の自由度を向上させた映像出力装置に、映像信号を出力するための映像信号生成装置を提供することができるという効果を奏する。
【発明を実施するための最良の形態】
【００１８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１９】
＜第１の実施の形態＞
図１は、本実施の形態における映像システム１０００の構成を示すブロック図である。図１を参照して、映像システム１０００は、映像信号生成装置１００と、映像出力装置２００とから構成される。
【００２０】
映像信号生成装置１００は、ＰＣ（Personal Computer）、ＳＴＢ（Set Top Box）等の機器である。なお、図１には、説明のために記録媒体７０も示している。映像出力装置２００は、たとえば、液晶テレビ、プラズマテレビ等の機器である。
【００２１】
映像信号生成装置１００には、キーボード１７２と、マウス１７４とが接続される。
キーボード１７２およびマウス１７４は、ユーザが映像信号生成装置１００を操作するためのインターフェースである。なお、キーボード１７２は、映像信号生成装置１００の内部に設けられる構成であってもよい。また、マウス１７４は、たとえば、タッチパッド等として、映像信号生成装置１００の内部に設けられる構成であってもよい。また、映像信号生成装置１００には、ペンタブレットが入力機器として接続されていてもよい。
【００２２】
映像信号生成装置１００は、通信部１１０と、制御部１２０と、ビデオインターフェース１３０と、音声インターフェース１３５と、ＲＡＭ１４０と、不揮発性メモリ１４２と、記録媒体アクセス部１５０と、リモコン信号受信部１６０と、入力部１７０とを備える。
【００２３】
通信部１１０は、イーサネット（登録商標）を利用した通信用インターフェースである。なお、通信部１１０は、イーサネット（登録商標）に限定されることなく、他の方式の通信用インターフェースであってもよい。
【００２４】
通信部１１０は、ネットワーク５０および制御部１２０とデータ通信を行なう。ネットワーク５０は、インターネットなどの外部のネットワークである。
【００２５】
制御部１２０は、マイクロプロセッサ（Microprocessor）、プログラミングすることができるＬＳＩ（Large Scale Integration）であるＦＰＧＡ（Field Programmable Gate Array）、特定の用途のために設計、製造される集積回路であるＡＳＩＣ（Application Specific Integrated Circuit）、その他の演算機能を有する回路のいずれであってもよい。
【００２６】
不揮発性メモリ１４２は、制御部１２０に後述する処理を行なわせるためのプログラム、その他各種プログラムおよびデータ等が記憶されている。
【００２７】
図２は、不揮発性メモリ１４２に記憶されているプログラムを示す図である。図２を参照して、不揮発性メモリ１４２には、画像生成プログラムと、４つの新着情報取得プログラムとが記憶されている。４つの新着情報取得プログラムは、それぞれ、天気予報取得プログラム、ＥＰＧ（Electronic Program Guide）情報取得プログラム、ニュース取得プログラムおよびメール取得プログラムである。
【００２８】
詳細は後述するが、画像生成プログラムは、天気予報取得プログラム、ＥＰＧ情報取得プログラム、ニュース取得プログラムおよびメール取得プログラムと連携して動作する。なお、画像生成プログラム、天気予報取得プログラム、ＥＰＧ情報取得プログラム、ニュース取得プログラムおよびメール取得プログラムの各々の詳細については後述する。
【００２９】
なお、新着情報取得プログラムの数は、４つに限定されることなく、３つ以下または５つ以上であってもよい。また、前述の新着情報取得プログラムは、一例であり、上記プログラムに限定されることはない。
【００３０】
再び、図１を参照して、不揮発性メモリ１４２は、制御部１２０によってデータアクセスされる。
【００３１】
不揮発性メモリ１４２は、大容量のデータを記憶可能なハードディスクである。なお、不揮発性メモリ１４２は、ハードディスクに限定されることなく、電源を供給されなくてもデータを不揮発的に保持可能な媒体（たとえば、フラッシュメモリ）であればよい。
【００３２】
制御部１２０は、不揮発性メモリ１４２に記憶されたプログラムに従って、映像信号生成装置１００内の各部に対する各種処理や、演算処理等を行なう機能を有する。
【００３３】
なお、映像信号生成装置１００は、ネットワーク５０から、通信部１１０を介して、プログラムのダウンロード処理を行ない、不揮発性メモリ１４２に格納することもできる。
【００３４】
この場合、制御部１２０は、ネットワーク５０からダウンロードしたプログラムに従って、所定の処理を行なう。このダウンロード用プログラムは、予め、不揮発性メモリ１４２に格納されており、ダウンロード処理は、制御部１２０が、ダウンロード用プログラムに基づいて行なう。
【００３５】
ＲＡＭ１４０は、制御部１２０によってデータアクセスされ、一時的にデータを記憶するワークメモリとして使用される。
【００３６】
ビデオインターフェース１３０は、制御部１２０が生成した映像データをアナログ形式またはデジタル形式で出力するためのインターフェースである。ビデオインターフェース１３０は、映像信号生成装置１００を外部の機器と映像ケーブル１３２で接続するための映像接続端子を含む。映像接続端子は、ＤＶＩ（Digital Visual Interface）端子、アナログＲＧＢ端子またはＨＤＭＩ（High-Definition Multimedia Interface）等の接続端子である。ビデオインターフェース１３０には、映像ケーブル１３２が接続されている。
【００３７】
音声インターフェース１３５は、制御部１２０が生成した音声データをアナログ形式またはデジタル形式で出力するためのインターフェースである。音声インターフェース１３５は、映像信号生成装置１００を外部の機器と音声ケーブル１３７で接続するための端子を含む。音声インターフェース１３５には、音声ケーブル１３７が接続されている。
【００３８】
記録媒体アクセス部１５０は、制御部１２０の制御指示に応じて、記録媒体７０にデータアクセスする機能を有する。記録媒体７０は、ＤＶＤ−Ｒ（Digital Versatile Disk Recordable）、ＤＶＤ−ＲＡＭ（Digital Versatile Disk Random Access Memory）、ＤＶＤ＋ＲＷ（Digital Versatile Disk Re-Writable）、ＤＶＤ−ＲＷ、ＭＯ（Magneto Optical Disk）、フロッピー（登録商標）ディスク、ＣＦ(Compact Flash) カード、ＳＭ（Smart Media（登録商標））、ＭＭＣ（Multi Media Card）、ＳＤ（Secure Digital）メモリーカード、メモリースティック（登録商標）、ｘＤピクチャーカードおよびＵＳＢメモリ、磁気テープ、その他不揮発性メモリのいずれであってもよい。
【００３９】
リモコン信号受信部１６０は、後述するリモコン３００から出力されるリモコン信号を受信する機能を有する。リモコン信号受信部１６０は、受信したリモコン信号を制御部１２０へ送信する。
【００４０】
入力部１７０には、キーボード１７２と、マウス１７４とが接続されている。ユーザは、キーボード１７２またはマウス１７４を利用して、映像信号生成装置１００に指示を与える。キーボード１７２またはマウス１７４からの入力指示は、入力部１７０を介して制御部１２０に送信される。制御部１２０は、入力部１７０からの入力指示に基づいて所定の処理を行なう。
【００４１】
図３は、本実施の形態におけるリモコン３００の外部構成を示す図である。図３を参照して、リモコン３００は、映像信号生成装置１００および映像出力装置２００を、無線で制御するためのリモコン信号を出力する。リモコン信号は、たとえば、赤外線信号である。
【００４２】
リモコン３００は、リモコン信号出力部３０５と、モード切替スイッチ３３０を備える。
【００４３】
リモコン信号出力部３０５は、リモコン３００の備える後述する各種キーが、ユーザにより押下操作された場合、対応するキーのリモコン信号を出力する機能を有する。
【００４４】
モード切替スイッチ３３０は、左右にスライドすることにより、リモコン３００を、映像出力装置２００を操作するＴＶモードまたは映像信号生成装置１００を操作するＩＴモードに切替えるためのスイッチである。モード切替スイッチ３３０が、リモコン３００に表示される「ＴＶ」側にある場合は、リモコン３００は、ＴＶモードとして動作する。一方、モード切替スイッチ３３０が、リモコン３００に表示される「ＩＴ」側にある場合は、リモコン３００は、ＩＴモードとして動作する。
【００４５】
リモコン３００は、ＩＴモードの場合、映像信号生成装置１００を操作するためのリモコン信号を出力する。リモコン３００は、ＴＶモードの場合、映像出力装置２００を操作するためのリモコン信号を出力する。したがって、リモコン３００が、たとえば、ＩＴモードの場合、映像出力装置２００は、リモコン３００から出力されるリモコン信号を受信しても、一部のリモコン信号を除いて、受信したリモコン信号に対応する処理は実行しない。また、リモコン３００が、たとえば、ＴＶモードの場合、映像信号生成装置１００は、リモコン３００から出力されるリモコン信号を受信しても、一部のリモコン信号を除いて、受信したリモコン信号に対応する処理は実行しない。
【００４６】
再び、図１を参照して、映像出力装置２００は、チューナ２１０と、制御部２２０と、映像入力部２３０と、音声入力部２３５と、ＲＡＭ２４０と、不揮発性メモリ２４２と、ＲＯＭ２４４と、記録媒体アクセス部２５０と、リモコン信号受信部２６０と、表示部２８０と、左スピーカ２９０Ａと、右スピーカ２９０Ｂとを備える。
【００４７】
チューナ２１０は、図示しないアンテナに接続されたケーブルからテレビジョン信号を受信する機能を有する。チューナ２１０は、受信したテレビジョン信号から制御部２２０からの指示に応じたチャンネルの映像信号および音声信号を、制御部２２０へ送信する。なお、以下においては、制御部２２０が、チューナ２１０から受信した映像信号に基づく画像をＴＶ画像とも称する。
【００４８】
制御部２２０は、ＴＶ画像を表示部２８０に表示させる処理を行なう。
本実施の形態では、チューナ２１０は、受信したテレビジョン信号から、一例として、１２個のチャンネルの映像信号を取得することが可能であるとする。なお、チューナ２１０が取得可能なチャンネルの数は、１２個に限定されることなく、１１個以下または１３個以上であってもよい。
【００４９】
映像入力部２３０は、ビデオインターフェース１３０と、映像ケーブル１３２により接続され、映像信号生成装置１００内のビデオインターフェース１３０から出力される映像信号を受信する。映像入力部２３０は、受信した映像信号を、制御部２２０へ送信する。なお、以下においては、映像入力部２３０が、ビデオインターフェース１３０から受信した映像信号に基づく画像をＰＣ画像とも称する。
【００５０】
音声入力部２３５は、音声インターフェース１３５と、音声ケーブル１３７により接続され、映像信号生成装置１００内の音声インターフェース１３５から出力される音声信号を受信する。音声入力部２３５は、受信した音声信号を、制御部２２０へ送信する。
【００５１】
ＲＯＭ２４４は、制御部２２０に後述する処理を行なわせるためのプログラム、その他各種プログラムおよび各種パラメータ（初期値データ等）が記憶されている。ＲＯＭ２４４は、制御部２２０によってデータアクセスされる。ＲＯＭ２４４は、データを書き換えない部分は、ＥＥＰＲＯＭで構成され、設定データ等を書き込む部分はフラッシュメモリなどで構成される。
【００５２】
不揮発性メモリ２４２は、各種プログラムおよびデータ等が記憶されている。不揮発性メモリ２４２は、制御部２２０によってデータアクセスされる。不揮発性メモリ２４２は、前述の不揮発性メモリ１４２と同様なものなので詳細な説明は繰り返さない。
【００５３】
制御部２２０は、ＲＯＭ２４４に記憶されたプログラムに従って、映像出力装置２００内の各部に対する各種処理や、演算処理、画像処理等を行なう機能を有する。また、制御部２２０は、受信した映像信号に基づく画像を、プログラムまたは設定データ等にしたがって、拡大または縮小する処理を行なう。また、制御部２２０は、受信した映像信号に基づく画像のフレームレートを変更する機能を有する。
【００５４】
ＲＡＭ２４０は、制御部２２０によってデータアクセスされ、一時的にデータを記憶するワークメモリまたはフレームバッファとして使用される。ＲＡＭ２４０は、ＳＲＡＭ（Static Random Access Memory）、ＤＲＡＭ（Dynamic Random Access Memory）、ＳＤＲＡＭ（Synchronous DRAM）、ダブルデータレートモードという高速なデータ転送機能を持ったＳＤＲＡＭであるＤＤＲ−ＳＤＲＡＭ（Double Data Rate SDRAM）、その他、データを揮発的に記憶保持可能な構成を有する回路のいずれであってもよい。
【００５５】
記録媒体アクセス部２５０は、制御部２２０の制御指示に応じて、記録媒体７０にデータアクセスする機能を有する。
【００５６】
リモコン信号受信部２６０は、リモコン３００から出力されるリモコン信号を受信する機能を有する。リモコン信号受信部２６０は、受信したリモコン信号を制御部２２０へ送信する。
【００５７】
表示部２８０は、映像を表示する機能を有する。表示部２８０は、たとえば、液晶パネル、ＰＤＰ（Plasma Display Panel）パネル等で構成される。表示部２８０の解像度は、通常のＮＴＳＣ信号の解像度よりも高く、コンピュータの画像が表示できる横１３６６（ドット）×縦７６８（ドット）の解像度を持つものとする。なお、表示部２８０の解像度は、横１３６６（ドット）×縦７６８（ドット）に限定されることなく、他の解像度（たとえば、１０２４×７６８）であってもよい。表示部２８０の映像を表示する部分のアスペクト比は１６：９である。なお、アスペクト比は１６：９に限定されることなく、４：３であってもよい。
【００５８】
左スピーカ２９０Ａおよび右スピーカ２９０Ｂの各々は、制御部２２０からの信号に基づいて音声を出力する。
【００５９】
なお、映像出力装置２００は、表示部２８０を備えなくてもよい。したがって、映像出力装置２００は、ＳＴＢ等の機器であってもよい。この場合、映像出力装置２００は、外部の表示装置（たとえば、ＰＤＰ）に映像信号を出力する。
【００６０】
図４は、本実施の形態における表示部２８０に表示される画像を説明するための図である。図４を参照して、表示部２８０に表示される画像のサイズは、横（ｘ方向）１３６６（ドット）、縦（ｙ方向）７６８（ドット）のサイズの画像である。以下においては、画像内の左上の座標を（０，０）とし、右下の座標を（１３６６，７６８）とする。
【００６１】
図５は、本実施の形態における表示部２８０に表示される画像の一例を示す図である。図５（Ａ）は、表示部２８０に表示される画像５００Ａを示す図である。画像５００Ａは、横１３６６（ドット）、縦７６８（ドット）のサイズの画像である。画像５００Ａには、ＰＣ画像を表示する領域５１０Ｒと、ＴＶ画像を表示する領域５２０Ｒとが含まれる。画像５００Ａは、ＰＣ画像内に、ＴＶ画像を配置した画像である。以下においては、表示部２８０に画像５００Ａのような状態の画像を表示するモードを、ＴＶインＰＣモードとも称する。
【００６２】
図５（Ｂ）は、表示部２８０に表示される画像５００Ｂを示す図である。画像５００Ｂは、画像５００Ａと同じサイズの画像である。画像５００Ｂには、ＴＶ画像を表示する領域５１０Ｒと、ＰＣ画像を表示する領域５２０Ｒとが含まれる。画像５００Ｂは、ＴＶ画像内に、ＰＣ画像を配置した画像である。以下においては、表示部２８０に画像５００Ｂのような状態の画像を表示するモードを、ＰＣインＴＶモードとも称する。
【００６３】
図５（Ｃ）は、表示部２８０に表示される画像５００Ｃを示す図である。画像５００Ｃは、画像５００Ａと同じサイズの画像である。画像５００Ｃには、ＴＶ画像を表示する領域５３０Ｒと、ＰＣ画像を表示する領域５４０Ｒとが含まれる。画像５００Ｃは、ＴＶ画像と、ＰＣ画像とを横に並べて配置した画像である。以下においては、表示部２８０に画像５００Ｃのような状態の画像を表示するモードを、ＴＶバイＰＣモードとも称する。
【００６４】
なお、以下においては、表示部２８０にＴＶ画像およびＰＣ画像が表示されている状態を２画面表示状態という。また、表示部２８０にＴＶ画像およびＰＣ画像のいずれか一方が表示されている状態を１画面表示状態という。
【００６５】
再び、図３を参照して、リモコン３００は、さらに、電源キー３１０と、入力切替キー３１２と、音声切替キー３１４と、消音キー３１６とを備える。
【００６６】
電源キー３１０は、リモコン３００がＩＴモードであり、かつ、ユーザの押下操作があった場合、映像信号生成装置１００の電源をオン、オフを行なうためのリモコン信号を交互にリモコン信号出力部３０５から出力させるためのキーである。
【００６７】
また、電源キー３１０は、リモコン３００がＴＶモードであり、かつ、ユーザの押下操作があった場合、映像出力装置２００の電源をオンおよびオフを行なうためのリモコン信号を交互にリモコン信号出力部３０５から出力させるためのキーである。
【００６８】
入力切替キー３１２は、リモコン３００がＴＶモードおよびＩＴモードのいずれの場合であっても、ユーザの押下操作があった場合、入力切替リモコン信号をリモコン信号出力部３０５から出力させるためのキーである。入力切替リモコン信号は、表示部２８０の表示領域全体に表示させる画像を、ＴＶ画像からＰＣ画像に切替える処理またはＰＣ画像からＴＶ画像に切替える処理を行なうためのリモコン信号である。
【００６９】
音声切替キー３１４は、映像出力装置２００が１画面表示状態である場合、ユーザの押下操作があった場合、左スピーカ２９０Ａおよび右スピーカ２９０Ｂから出力する音声を、変更するためのリモコン信号を、リモコン信号出力部３０５から出力させるためのキーである。映像出力装置２００は、リモコン信号を受けた場合、現在の音声出力状態を基準に、モノラル、主（左）音声、副（右）音声、ステレオの順で次の音声状態に切り換える。
【００７０】
モノラル音声に切り換えられた場合は、表示部２８０に表示されている画像に対応する主（左）音声と副（右）音声とを合成した音声を、左スピーカ２９０Ａおよび右スピーカ２９０Ｂの各々から同時に出力させる。主（左）音声に切り換えられた場合は、表示部２８０に表示されている画像に対応する主（左）音声のみを左スピーカ２９０Ａから出力させる。副音声に切り換えられた場合は、表示部２８０に表示されている画像に対応する副（右）音声のみを右スピーカ２９０Ｂから出力させる。
【００７１】
ステレオ音声に切り換えられた場合は、表示部２８０に表示されている画像に対応する主（左）音声および副（右）音声を、それぞれ、左スピーカ２９０Ａおよび右スピーカ２９０Ｂから出力させる。
【００７２】
また、音声切替キー３１４は、リモコン３００がＴＶモードであり、かつ、映像出力装置２００が２画面表示状態である場合、ユーザの押下操作があった場合、左スピーカ２９０Ａおよび右スピーカ２９０Ｂから出力する音声を、変更するためのリモコン信号を、リモコン信号出力部３０５から出力させるためのキーである。映像出力装置２００は、リモコン信号を受けた場合、現在の音声出力状態を基準に、モノラル、主（左）音声、副（右）音声、ステレオの順で次の音声状態に切り換える。
【００７３】
ＴＶモノラル音声に切り替えられた場合は、ＴＶ画像に対応する主（左）音声と副（右）音声とを合成した音声を、左スピーカ２９０Ａおよび右スピーカ２９０Ｂの各々から同時に出力させる。ＴＶ主（左）音声に切り替えられた場合は、ＴＶ画像に対応する主（左）音声のみを左スピーカ２９０Ａから出力させる。ＴＶ副音声に切り替えられた場合は、ＴＶ画像に対応する副（右）音声のみを右スピーカ２９０Ｂから出力させる。
【００７４】
ＴＶステレオに切り替えられた場合は、ＴＶ画像に対応する主（左）音声および副（右）音声を、それぞれ、左スピーカ２９０Ａおよび右スピーカ２９０Ｂから出力させる。
【００７５】
また、音声切替キー３１４は、リモコン３００がＩＴモードであり、かつ、映像出力装置２００が２画面表示状態である場合、ユーザの押下操作があった場合、左スピーカ２９０Ａおよび右スピーカ２９０Ｂから出力する音声を、変更するためのリモコン信号をリモコン信号出力部３０５から出力させるためのキーである。映像出力装置２００は、リモコン信号を受けた場合、現在の音声出力状態を基準に、モノラル、主（左）音声、副（右）音声、ステレオの順で次の音声状態に切り換える。
【００７６】
ＰＣモノラル音声に切り替えられた場合は、ＰＣ画像に対応する主（左）音声と副（右）音声とを合成した音声を、左スピーカ２９０Ａおよび右スピーカ２９０Ｂの各々から同時に出力させる。ＰＣ主（左）音声に切り替えられた場合は、ＴＶ画像に対応する主（左）音声のみを左スピーカ２９０Ａから出力させる。ＰＣ副音声に切り替えられた場合は、ＴＶ画像に対応する副（右）音声のみを右スピーカ２９０Ｂから出力させる。
【００７７】
ＰＣステレオ音声に切り替えられた場合は、ＰＣ画像に対応する主（左）音声および副（右）音声を、それぞれ、左スピーカ２９０Ａおよび右スピーカ２９０Ｂから出力させる。
【００７８】
消音キー３１６は、映像出力装置２００が１画面表示状態である場合、ユーザの押下操作がある毎に、リモコン信号をリモコン信号出力部３０５から出力させるためのキーである。映像出力装置２００は、リモコン信号を受けた場合、現在の状態、すなわち消音状態あるいは消音解除の状態を基準に、ＰＣ画像に対応する音声について、消音、消音解除の順で切り替える。消音に切り替えられた場合は、表示部２８０に表示されている画像に対応する音声の消音を行なう。消音解除に切り替えられた場合は、表示部２８０に表示されている画像の音声の消音が行なわれている場合、音声の消音を解除する。
【００７９】
また、消音キー３１６は、映像出力装置２００が２画面表示状態である場合、ユーザの押下操作がある毎に、リモコン信号を、リモコン信号出力部３０５から出力させるためのキーである。映像出力装置２００は、リモコン信号を受けた場合、現在の消音状態を基準に、全消音、ＴＶ消音、ＰＣ消音、消音解除の順で切り替える。
【００８０】
全消音に切り替えられた場合は、ＴＶ画像およびＰＣ画像の各々に対応する音声の消音を行なう。ＴＶ消音に切り替えられた場合は、ＴＶ画像に対応する音声の消音を行ない、ＰＣ画像に対応する音声の消音を解除する。ＰＣ消音に切り替えられた場合は、ＰＣ画像に対応する音声の消音を行ない、ＴＶ画像に対応する音声の消音を解除する。消音解除に切り替えられた場合は、ＴＶ画像およびＰＣ画像の各々に対応する音声の消音の解除を行なう。
【００８１】
リモコン３００は、さらに、チャンネル切替キー３２２と、音量キー３２４と、カーソルキー３４２Ａ，３４２Ｂ，３４２Ｃ，３４２Ｄと、決定キー３４４と、設定キー３４６と、戻るキー３４８と、数字キー群３５０とを備える。
【００８２】
チャンネル切替キー３２２は、チャンネル切替キー３２２Ａと、チャンネル切替キー３２２Ｂとを含む。チャンネル切替キー３２２Ａは、リモコン３００がＴＶモードであり、かつ、ユーザの押下操作があった場合、ＴＶ画像のチャンネル番号を１インクリメントさせるためのリモコン信号をリモコン信号出力部３０５から出力させるためのキーである。ここで、チャンネル番号とは、チューナ２１０が取得可能な１２個のチャンネルの各々に予め割り当てられた番号であり、１〜１２のいずれかを示す。なお、チャンネル番号が“１２”の場合に、上記の１インクリメントされる処理が行われた場合、チャンネル番号は、“１”になるとする。
【００８３】
チャンネル切替キー３２２Ｂは、リモコン３００がＴＶモードであり、かつ、ユーザの押下操作があった場合、ＴＶ画像のチャンネル番号を１デクリメントさせるためのリモコン信号をリモコン信号出力部３０５から出力させるためのキーである。なお、チャンネル番号が“１”の場合に、上記の１デクリメントされる処理が行われた場合、チャンネル番号は、“１２”になるとする。
【００８４】
音量キー３２４は、音量キー３２４Ａと、音量キー３２４Ｂとを含む。音量キー３２４Ａは、リモコン３００がＴＶモードであり、かつ、ユーザの押下操作があった場合、ＴＶ画像に対応する音声の音量を大きくさせるためのリモコン信号をリモコン信号出力部３０５から出力させるためのキーである。
【００８５】
音量キー３２４Ｂは、リモコン３００がＴＶモードであり、かつ、ユーザの押下操作があった場合、ＴＶ画像に対応する音声の音量を小さくさせるためのリモコン信号をリモコン信号出力部３０５から出力させるためのキーである。
【００８６】
カーソルキー３４２Ａ，３４２Ｂ，３４２Ｃ，３４２Ｄは、リモコン３００がＴＶモードおよびＩＴモードのいずれの場合であっても、リモコン信号をリモコン信号出力部３０５から出力させるためのキーである。
【００８７】
具体的には、カーソルキー３４２Ａ，３４２Ｂ，３４２Ｃ，３４２Ｄは、後述する設定画像等が表示部２８０に表示されているときにユーザの押下操作があった場合、選択箇所を、それぞれ、上、下、左、右に移動させるためのリモコン信号をリモコン信号出力部３０５から出力させるためのキーである。
【００８８】
決定キー３４４は、リモコン３００がＴＶモードおよびＩＴモードのいずれの場合であっても、リモコン信号をリモコン信号出力部３０５から出力させるためのキーである。
【００８９】
具体的には、決定キー３４４は、後述する設定画像等が表示部２８０に表示されているときにユーザの押下操作があった場合、カーソルキー３４２Ａ，３４２Ｂ，３４２Ｃ，３４２Ｄにより選択されている項目を確定させるためのリモコン信号をリモコン信号出力部３０５から出力させるためのキーである。
【００９０】
設定キー３４６は、リモコン３００がＴＶモードおよびＩＴモードのいずれの場合であっても、表示部２８０に後述する設定画像を表示させるためのリモコン信号をリモコン信号出力部３０５から出力させるためのキーである。
【００９１】
戻るキー３４８は、リモコン３００がＴＶモードおよびＩＴモードのいずれの場合であっても、表示部２８０に現在表示されている画像の前に表示されていた画像を、表示部２８０に表示させるためのリモコン信号をリモコン信号出力部３０５から出力させるためのキーである。
【００９２】
数字キー群３５０は、１〜１２の数字にそれぞれ対応する複数の数字キーを含む。
数字キー群３５０の各数字キーは、リモコン３００がＴＶモードであり、かつ、ユーザの押下操作があった場合、対応する数値のチャンネル番号のリモコン信号をリモコン信号出力部３０５から出力させるためのキーである。
【００９３】
数字キー群３５０の各数字キーは、リモコン３００がＩＴモードであり、かつ、ユーザの押下操作があった場合、対応する数値のリモコン信号をリモコン信号出力部３０５から出力させるためのキーである。
【００９４】
次に、映像信号生成装置１００で行なわれる画像生成処理について説明する。画像生成処理は、制御部１２０が、不揮発性メモリ１４２に記憶されている画像生成プログラムにしたがって行なう処理である。
【００９５】
図６は、画像生成処理のフローチャートである。図６を参照して、ステップＳ１１０では、制御部１２０が、後述するキー受信処理を実行する。キー受信処理は、画像生成処理と別途独立して、並行して実行される。その後、ステップＳ１２０に進む。
【００９６】
ステップＳ１２０では、制御部１２０が、前述の４つの新着情報取得プログラムを、１つずつ、順に実行し、各新着情報取得プログラムに基づく処理（以下、新着情報取得処理ともいう）を行なう。なお、４つの新着情報取得プログラムは、並列的に同時に実行されてもよい。また、新着情報取得処理は、画像生成処理と別途独立して、並行して実行される。
【００９７】
ここで、４つの新着情報取得プログラムである、天気予報取得プログラム、ＥＰＧ情報取得プログラム、ニュース取得プログラムおよびメール取得プログラムの各々の説明を行なう。
【００９８】
天気予報取得プログラムは、制御部１２０が、ネットワーク５０に接続し、予め指定されたインターネットアドレス（ＵＲＬ）から、予め設定された地域情報に対応する天気予報情報を取得するプログラムである。ここで、地域情報は、ユーザがキーボード１７２またはマウス１７４を使用して入力した情報であり、不揮発性メモリ１４２に記憶されている。地域情報の一例は、都道府県である。地域情報の他の例は、７桁の郵便番号の情報である。
【００９９】
ＥＰＧ情報取得プログラムは、制御部１２０が、ネットワーク５０に接続し、予め指定されたインターネットアドレス（ＵＲＬ）から、予め設定された地域情報に対応するＥＰＧ情報を取得するプログラムである。制御部１２０が、ＥＰＧ情報を取得する頻度は、１日に、たとえば、２回である。また、制御部１２０が、ＥＰＧ情報を取得する処理を行なうのは、リモコン３００によるユーザからの指示を受付けた時であってもよい。
【０１００】
制御部１２０は、取得したＥＰＧ情報を、不揮発性メモリ１４２に記憶させる。なお、既に、不揮発性メモリ１４２に、ＥＰＧ情報が記憶されている場合は、制御部１２０は、取得したＥＰＧ情報を、不揮発性メモリ１４２に上書き記憶させる。したがって、不揮発性メモリ１４２には、常に最新のＥＰＧ情報が記憶される。
【０１０１】
ニュース取得プログラムは、制御部１２０が、ネットワーク５０に接続し、予め指定されたインターネットアドレス（ＵＲＬ）から、ニュースを取得するプログラムである。
【０１０２】
メール取得プログラムは、制御部１２０が、ネットワーク５０に接続し、予め指定されたドメイン名あるいはＩＰアドレスを持つメールサーバに、予め設定されたユーザ情報を使用してログインし、新着メールの送信元と、当該新着メールに対応する題名とを取得するプログラムである。
【０１０３】
ここで、ユーザ情報は、ユーザがキーボード１７２またはマウス１７４を使用して入力した情報であり、ＩＤ、パスワード等の情報である。なお、ユーザ情報は、不揮発性メモリ１４２に記憶されている。制御部１２０は、取得した新着メールの送信元および当該新着メールに対応する題名の情報を、不揮発性メモリ１４２に記憶させる。メール取得プログラムに基づく画像が表示部２８０に表示されるときは、新着メールの送信元と、当該新着メールに対応する題名とが表示される。
【０１０４】
なお、天気予報取得プログラム、ＥＰＧ情報取得プログラム、ニュース取得プログラムおよびメール取得プログラムの各々で使用される設定値の初期値（以下、初期設定値ともいう）は、予め、不揮発性メモリ１４２（または記録媒体７０）に記憶されている。以下においては、複数の初期設定値から構成されるデータテーブルを初期設定値テーブルともいう。したがって、初期設定値テーブルは、予め、不揮発性メモリ１４２（または記録媒体７０）に記憶されている。本実施の形態では、以下に説明する初期設定値テーブルＴ１００が、予め、不揮発性メモリ１４２（または記録媒体７０）に記憶されている。
【０１０５】
図７は、一例としての初期設定値テーブルＴ１００を示す図である。図７を参照して、初期設定値テーブルＴ１００は、プログラム番号に対応して、後述する実行プログラム、信号モード、画面モード、即時表示の許可または不許可、矩形の左上の座標、高さ、幅が初期設定値として設定されたテーブルである。
【０１０６】
なお、初期設定値テーブルＴ１００内の各初期設定値は、以下に説明する設定画像において変更可能である。設定画像には、映像信号生成装置１００で実行されるプログラムで使用される設定値を設定（変更）するためのＰＣ設定画像と、映像出力装置２００で実行されるプログラムで使用される設定値を設定（変更）するためのＴＶ設定画像とがある。
【０１０７】
以下に説明するＰＣ設定画像７００は、リモコン３００がＩＴモードの場合に、ユーザが、設定キー３４６を押下操作することにより、表示部２８０に表示される画像である。
【０１０８】
図８は、ＰＣ設定画像７００を示す図である。図８を参照して、ＰＣ設定画像７００には、設定内容表示領域７１０，７２０，７３０，７４０，７５０，７６２，７６４，７７２，７７４が配置される。以下においては、設定内容表示領域７１０，７２０，７３０，７４０，７５０，７６２，７６４，７７２，７７４の各々に表示されている内容を編集可能な状態を編集モードともいう。設定内容表示領域７１０，７２０，７３０，７４０，７５０，７６２，７６４，７７２，７７４の各々には、初期設定値テーブルＴ１００に基づいた初期設定値が表示されている。
【０１０９】
設定内容表示領域７１０，７２０，７３０，７４０，７５０，７６２，７６４，７７２，７７４は、ユーザによるＩＴモードのリモコン３００のカーソルキー３４２Ａまたはカーソルキー３４２Ｂの押下操作により、順次、選択状態になる。設定内容表示領域が選択状態になっているときに、ユーザによるＩＴモードのリモコン３００の決定キー３４４の押下操作があると、選択状態の設定内容表示領域は、編集モードになる。
【０１１０】
設定内容表示領域７１０，７２０，７３０，７４０，７５０の各々が編集モードになっている場合、ユーザによるＩＴモードのリモコン３００のカーソルキー３４２Ａまたはカーソルキー３４２Ｂの押下操作があると、編集モードの設定内容表示領域の表示内容が順次変更される。
【０１１１】
設定内容表示領域７１０，７６２，７６４，７７２，７７４の各々が編集モードになっている場合、ユーザによるＩＴモードのリモコン３００の数字キー群３５０の数字キーの押下操作があると、押下操作のあった数字キーに対応する数値が、編集モードの設定内容表示領域に表示される。なお、設定内容表示領域が、編集モードになっている状態で、ユーザによるＩＴモードのリモコン３００の決定キー３４４の押下操作があると、設定内容表示領域の編集モードは解除される。
【０１１２】
設定内容表示領域７１０は、プログラム番号を設定する領域である。プログラム番号は、“１”〜“４”の範囲で設定可能である。なお、設定内容表示領域７１０に表示されるプログラム番号が変更される毎に、設定内容表示領域７２０，７３０，７４０，７５０，７６２，７６４，７７２，７７４の各々には、初期設定値テーブルＴ１００におけるプログラム番号に対応する初期設定値が表示される。
【０１１３】
設定内容表示領域７２０は、設定内容表示領域７１０に表示されているプログラム番号に割り当てる新着情報取得プログラムを設定する領域である。新着情報取得プログラムは、前述したように、天気予報取得プログラム、ＥＰＧ情報取得プログラム、ニュース取得プログラムおよびメール取得プログラムの４つのプログラムである。
【０１１４】
設定内容表示領域７３０は、信号モードを設定する領域である。信号モードは映像信号生成装置１００が映像出力装置２００へ出力する映像信号に基づく画像サイズと、垂直同期信号の周波数（以下、垂直同期周波数ともいう）との組合せにより、４種類ある。４つの信号モードは、たとえば、「１３６６×７６８，６０Ｈｚ」、「１３６６×７６８，７０Ｈｚ」、「６８３×７６８，６０Ｈｚ」、「６８３×７６８，７０Ｈｚ」である。なお、信号モードは、４つに限定されることなく、３つ以下または５つ以上であってもよい。
【０１１５】
設定内容表示領域７４０は、画面モードを設定する領域である。画面モードは、前述したように、ＴＶインＰＣモード、ＰＣインＴＶモードおよびＴＶバイＰＣモードの３種類ある。ＴＶインＰＣモード、ＰＣインＴＶモードおよびＴＶバイＰＣモードを示す文字列は、それぞれ、「ＴＶ  ｉｎ  ＰＣ」、「ＰＣ  ｉｎ  ＴＶ」、「ＴＶ  ｂｙ  ＰＣ」である。
【０１１６】
設定内容表示領域７５０は、設定内容表示領域７２０に表示されている新着情報取得プログラムが実行され、後述する新着情報があった場合、即時に、当該新着情報を、表示部２８０に表示させることを許可するか否かを設定する領域である。したがって、設定内容表示領域７５０での設定内容は、「許可」または「不許可」のいずれかとなる。なお、ニュース取得プログラムおよびメール取得プログラムは、初期設定として、「許可」となっている。また、天気予報取得プログラム、ＥＰＧ情報取得プログラムは、初期設定として、「不許可」となっている。
【０１１７】
設定内容表示領域７６２，７６４は、２画面表示状態において、ＴＶ画像またはＰＣ画像の表示領域の左上のｘ座標およびｙ座標を、それぞれ設定する領域である。ＴＶインＰＣモードでは、設定内容表示領域７６２，７６４は、ＴＶ画像の表示領域の左上のｘ座標およびｙ座標を、それぞれ設定する領域となる。
【０１１８】
ＰＣインＴＶモードでは、設定内容表示領域７６２，７６４は、ＰＣ画像の表示領域の左上のｘ座標およびｙ座標を、それぞれ設定する領域となる。ＴＶバイＰＣモードでは、設定内容表示領域７６２，７６４は、ＰＣ画像の表示領域の左上のｘ座標およびｙ座標を、それぞれ設定する領域となる。
【０１１９】
なお、以下においては、設定内容表示領域７２０に表示されている新着情報取得プログラムの実行により取得された情報を表示したＰＣ画像を表示する領域を、情報表示領域ともいう。また、以下においては、ＴＶ画像を表示する領域をＴＶ画像表示領域ともいう。
【０１２０】
設定内容表示領域７７２，７７４は、情報表示領域またはＴＶ画像表示領域の高さおよび幅を、それぞれ設定する領域である。ＴＶインＰＣモードでは、設定内容表示領域７７２，７７４は、ＴＶ画像表示領域の高さおよび幅を、それぞれ設定する領域となる。
【０１２１】
ＰＣインＴＶモードでは、設定内容表示領域７７２，７７４は、情報表示領域の高さおよび幅を、それぞれ設定する領域となる。ＴＶバイＰＣモードでは、情報表示領域の高さおよび幅を、それぞれ設定する領域となる。
【０１２２】
表示部２８０にＰＣ設定画像７００が表示されている場合、ユーザは、前述のＩＴモードのリモコン３００の押下操作により、プログラム番号１〜４にそれぞれ対応する初期設定値を変更することができる。そして、再度、ユーザが、ＩＴモードのリモコン３００の設定キー３４６を押下操作すると、初期設定値に変更があった場合、制御部１２０は、初期設定値テーブルＴ１００内の対応する初期設定値を変更し、不揮発性メモリ１４２（または記録媒体７０）に記憶させる。その後、表示部２８０には、ＰＣ設定画像７００が表示される前の画像が表示される。
図９は、新着情報取得処理のフローチャートである。一例として、プログラム番号１の天気予報取得プログラムにより行なわれる新着情報取得処理について説明する。図９を参照して、ステップＳ２１０では、情報取得処理が行なわれる。情報取得処理では、実行されるプログラムに応じた処理が行われる。ここでは、実行されるプログラムは、天気予報取得プログラムであるので、以下の情報取得処理Ｋが行なわれる。
【０１２３】
情報取得処理Ｋでは、制御部１２０が、ネットワーク５０に接続し、予め指定されたインターネットアドレス（ＵＲＬ）から、予め設定された地域情報に対応する天気予報情報を取得する。その後、ステップＳ２２０に進む。
【０１２４】
ステップＳ２２０では、ステップＳ２１０で取得された情報が新着情報であるか否かが判定される。具体的には、制御部１２０が、ステップＳ２１０で取得された情報と同じ情報が不揮発性メモリ１４２に記憶されているか否かを判定する。ステップＳ２２０において、ＹＥＳならば、ステップＳ２２２に進む。一方、ステップＳ２２０において、ＮＯならば、この新着情報取得処理は終了する。
【０１２５】
ステップＳ２２２では、制御部１２０が、ステップＳ２１０で取得された情報を、プログラム番号に対応付けて、不揮発性メモリ１４２に記憶させる。その後、ステップＳ２２４に進む。
【０１２６】
ステップＳ２２４では、即時表示が許可されているか否かが判定される。具体的には、制御部１２０が、不揮発性メモリ１４２に記憶されている、新着情報取得処理に対応するプログラムの即時表示の設定内容が、「許可」となっているか否かを判定する。ステップＳ２２４において、ＹＥＳならば、ステップＳ２２６に進む。一方、ステップＳ２２４において、ＮＯならば、この新着情報取得処理は終了する。
【０１２７】
ステップＳ２２６では、制御部１２０が、ステップＳ２１０で取得した情報と、新着情報取得処理に対応するプログラムの各種設定値とに基づいて、ＰＣ画像を生成する。
【０１２８】
図１０は、映像信号生成装置１００が生成する画像を示す図である。図１０（Ａ）は、一例としてのＰＣ画像６００を示す図である。図１０（Ａ）を参照して、ＰＣ画像６００には、領域６１０Ｒと、領域６２０Ｒとが配置される。ＰＣ画像６００の領域６２０Ｒは、情報表示領域である。
【０１２９】
領域６１０Ｒ内は、同じ色（たとえば、黒）が着色される。領域６２０Ｒには、新着情報取得処理に対応するプログラムの実行により得られた情報が表示される。
【０１３０】
ステップＳ２２６の処理の後、ステップＳ２２８に進む。
ステップＳ２２８では、制御部１２０が、生成したＰＣ画像の信号（以下、ＰＣ画像信号ともいう）を、映像ケーブル１３２を介して、映像出力装置２００へ送信する。なお、送信されるＰＣ画像信号には、プログラム番号に対応して設定された垂直同期周波数（たとえば、６０Ｈｚ）の垂直同期信号が含まれる。その後、この新着情報取得処理は終了する。
【０１３１】
なお、前述の新着情報取得処理は、プログラム番号１に対応する天気予報取得プログラムにより行なわれる処理について説明したが、プログラム番号２〜４についても前述したのと同様な処理が行なわれる。
【０１３２】
映像出力装置２００では、画像信号受信処理が行なわれる。なお、映像出力装置２００の表示部２８０には、図１０（Ｂ）に示されるＴＶ画像６００Ｂが表示されているとする。
【０１３３】
図１１は、画像信号受信処理のフローチャートである。図１１を参照して、ステップＳ５１０では、制御部２２０が、映像信号生成装置１００から、ＰＣ画像信号を受信したか否かを判定する。ステップＳ５１０において、ＹＥＳならば、ステップＳ５２０に進む。一方、ステップＳ５１０において、ＮＯならば、再度、ステップＳ５１０の処理が行なわれる。
【０１３４】
ステップＳ５２０では、信号解析処理が行なわれる。信号解析処理では、制御部２２０が、受信したＰＣ画像信号に基づく画像の画像サイズと、受信したＰＣ画像信号に含まれる垂直同期信号の垂直同期周波数とを判定する。その後、ステップＳ５３０に進む。
【０１３５】
ステップＳ５３０では、制御部２２０は、判定した画像サイズと、判定した垂直同期周波数との組合せによる信号モードが、登録済みの信号モードであるか否かを判定する。具体的には、制御部２２０は、判定した画像サイズと、判定した垂直同期周波数との組合せによる信号モードに対応する設定値（以下、受信信号対応設定値ともいう）が、不揮発性メモリ２４２に記憶されているか否かを判定する。以下においては、複数の受信信号対応設定値から構成されるデータテーブルを受信信号対応設定値テーブルともいう。受信信号対応設定値テーブルは、予め、不揮発性メモリ２４２に記憶されている。本実施の形態において、不揮発性メモリ２４２に記憶されているのは、以下に説明する受信信号対応設定値テーブルＴ１００Ａであるとする。
【０１３６】
図１２は、一例としての受信信号対応設定値テーブルＴ１００Ａを示す図である。図１２を参照して、受信信号対応設定値テーブルＴ１００Ａは、信号モード番号に対応して、信号モード、画面モード、座標、高さ、幅が受信信号対応設定値として設定されたテーブルである。
【０１３７】
なお、受信信号対応設定値テーブルＴ１００Ａ内の各受信信号対応設定値は、以下に説明するＴＶ設定画像において変更可能である。ＴＶ設定画像は、前述したように、映像出力装置２００で実行されるプログラムで使用される設定値を設定（変更）するための設定画像である。
【０１３８】
ＴＶ設定画像は、リモコン３００がＴＶモードの場合に、ユーザが、設定キー３４６を押下操作することにより、表示部２８０に表示される画像である。
【０１３９】
図１３は、ＴＶ設定画像７００Ａを示す図である。図１３を参照して、ＴＶ設定画像７００Ａには、設定内容表示領域７１０Ａ，７３０Ａ，７４０Ａ，７６２Ａ，７６４Ａ，７７２Ａ，７７４Ａが配置される。以下においては、設定内容表示領域７１０Ａ，７３０Ａ，７４０Ａ，７６２Ａ，７６４Ａ，７７２Ａ，７７４Ａの各々に表示されている内容を編集可能な状態を編集モードともいう。設定内容表示領域７１０Ａ，７３０Ａ，７４０Ａ，７６２Ａ，７６４Ａ，７７２Ａ，７７４Ａの各々には、受信信号対応設定値テーブルＴ１００Ａに基づいた受信信号対応設定値が表示されている。
【０１４０】
設定内容表示領域７１０Ａ，７３０Ａ，７４０Ａ，７６２Ａ，７６４Ａ，７７２Ａ，７７４Ａは、ユーザによるＴＶモードのリモコン３００のカーソルキー３４２Ａまたはカーソルキー３４２Ｂの押下操作により、順次、選択状態になる。設定内容表示領域が選択状態になっているときに、ユーザによるＴＶモードのリモコン３００の決定キー３４４の押下操作があると、選択状態の設定内容表示領域は、編集モードになる。
【０１４１】
設定内容表示領域７１０Ａ，７３０Ａ，７４０Ａの各々が編集モードになっている場合、ユーザによるＴＶモードのリモコン３００のカーソルキー３４２Ａまたはカーソルキー３４２Ｂの押下操作があると、編集モードの設定内容表示領域の表示内容が順次変更される。
【０１４２】
設定内容表示領域７１０Ａ，７６２Ａ，７６４Ａ，７７２Ａ，７７４Ａの各々が編集モードになっている場合、ユーザによるＴＶモードのリモコン３００の数字キー群３５０の数字キーの押下操作があると、押下操作のあった数字キーに対応する数値が、編集モードの設定内容表示領域に表示される。なお、設定内容表示領域が、編集モードになっている状態で、ユーザによるＴＶモードのリモコン３００の決定キー３４４の押下操作があると、設定内容表示領域の編集モードは解除される。
【０１４３】
設定内容表示領域７１０Ａは、信号モード番号を設定する領域である。信号モード番号は、“１”〜“４”の範囲で設定可能である。なお、設定内容表示領域７１０Ａに表示される信号モード番号が変更される毎に、設定内容表示領域７３０Ａ，７４０Ａ，７６２Ａ，７６４Ａ，７７２Ａ，７７４Ａの各々には、受信信号対応設定値テーブルＴ１００Ａにおける信号モード番号に対応する受信信号対応設定値が表示される。
【０１４４】
設定内容表示領域７３０Ａは、設定内容表示領域７１０に表示されている信号モード番号に割り当てる信号モードを設定する領域である。信号モードは映像出力装置２００が、映像信号生成装置１００から受信したＰＣ画像信号に基づく画像の画像サイズと、受信したＰＣ画像信号に含まれる垂直同期信号の垂直同期周波数との組合せにより、４種類ある。４つの信号モードは、前述した「１３６６×７６８，６０Ｈｚ」、「１３６６×７６８，７０Ｈｚ」、「６８３×７６８，６０Ｈｚ」、「６８３×７６８，７０Ｈｚ」である。なお、信号モードは、４つに限定されることなく、３つ以下または５つ以上であってもよい。
【０１４５】
設定内容表示領域７３０Ａは、前述した設定内容表示領域７３０と同様なので詳細な説明は繰り返さない。
【０１４６】
設定内容表示領域７６２Ａ，７６４Ａは、前述した設定内容表示領域７６２，７６４と同様なので詳細な説明は繰り返さない。設定内容表示領域７７２Ａ，７７４Ａは、前述した設定内容表示領域７７２，７７４と同様なので詳細な説明は繰り返さない。
【０１４７】
表示部２８０にＴＶ設定画像７００Ａが表示されている場合、ユーザは、前述のＴＶモードのリモコン３００の押下操作により、信号モード番号１〜４にそれぞれ対応する受信信号対応設定値を変更することができる。そして、再度、ユーザが、ＴＶモードのリモコン３００の設定キー３４６を押下操作すると、受信信号対応設定値に変更があった場合、制御部２２０は、受信信号対応設定値テーブルＴ１００Ａ内の対応する受信信号対応設定値を変更し、不揮発性メモリ２４２に記憶させる。その後、表示部２８０には、ＴＶ設定画像７００Ａが表示される前の画像が表示される。
【０１４８】
なお、受信信号対応設定値テーブルＴ１００Ａは、予め、不揮発性メモリ２４２に記憶されていなくてもよい。この場合、以下の設定データ複製処理により、不揮発性メモリ２４２に、受信信号対応設定値テーブルＴ１００Ａのデータが記憶される。
【０１４９】
図１４は、設定データ複製処理のフローチャートである。図１４を参照して、ステップＳ６１０では、制御部２２０が、記録媒体７０にアクセス可能であるか否かを判定する。ステップＳ６１０において、ＹＥＳならば、ステップＳ６２０に進む。一方、ステップＳ６１０において、ＮＯならば、再度、ステップＳ６１０の処理が行なわれる。
【０１５０】
ステップＳ６２０では、制御部２２０が、記録媒体７０に初期設定値テーブルＴ１００のデータが記録されているか否かを判定する。ステップＳ６２０において、ＹＥＳならば、ステップＳ６３０に進む。一方、ステップＳ６２０において、ＮＯならば、再度、ステップＳ６１０の処理が行なわれる。
【０１５１】
ステップＳ６３０では、複製処理が行なわれる。複製処理では、制御部２２０が、記録媒体７０内の初期設定値テーブルＴ１００のデータにアクセスする。そして、制御部２２０は、初期設定値テーブルＴ１００の各実行プログラム番号に対応する、信号モード、画面モード、座標、高さ、幅のデータを、前述した受信信号対応設定値テーブルＴ１００Ａの各信号モード番号に対応する、信号モード、画面モード、座標、高さ、幅のデータとして、不揮発性メモリ２４２に記憶させる。その後、この設定データ複製処理は終了する。
【０１５２】
以上の処理により、記録媒体７０に記憶されている初期設定値テーブルＴ１００のデータを、受信信号対応設定値テーブルＴ１００Ａの受信信号対応設定値として、簡単に、不揮発性メモリ２４２に記憶させることができる。そのため、表示部２８０にＴＶ設定画像７００Ａを表示させて、受信信号対応設定値テーブルＴ１００Ａの各受信信号対応設定値を、ユーザが設定する手間をなくすことができるという効果を奏する。
【０１５３】
なお、受信信号対応設定値テーブルＴ１００Ａが、予め、不揮発性メモリ２４２に記憶されている場合に、前述した設定データ複製処理を行なうと、初期設定値テーブルＴ１００内のデータ変更があっても、受信信号対応設定値テーブルＴ１００Ａに、当該データ変更を簡単に反映させることができるという効果を奏する。
【０１５４】
再び、図１１を参照して、ステップＳ５３０において、ＹＥＳならば、ステップＳ５４０に進む。一方、ステップＳ５３０において、ＮＯならば、再度、ステップＳ５１０の処理が行なわれる。
【０１５５】
なお、ステップＳ５３０において、ＮＯと判定された場合、すなわち、受信したＰＣ画像信号が登録済みのものでない場合、制御部２２０は、表示部２８０の全領域に、受信したＰＣ画像信号に基づくＰＣ画像を表示させてもよい。
【０１５６】
ステップＳ５４０では、合成画像生成処理が行なわれる。合成画像生成処理では、制御部２２０は、不揮発性メモリ２４２に記憶されている受信信号対応設定値テーブルＴ１００Ａに基づいて、受信したＰＣ画像信号の信号モードを判定する。そして、制御部２２０は、判定した信号モードに対応する、画面モード、座標、高さおよび幅のデータに基づいて、ＴＶ画像と、ＰＣ画像とを同時に表示した合成画像を生成する。
【０１５７】
再び、図１０を参照して、図１０（Ｃ）は、一例としての、合成画像６００Ｃ１を示す図である。図１０（Ｃ）を参照して、合成画像６００Ｃ１は、ＰＣインＴＶモードで表示部２８０に表示される合成画像である。合成画像６００Ｃ１内の領域６１０Ｒは、ＴＶ画像表示領域である。合成画像６００Ｃ１内の領域６２０Ｒは、情報表示領域である。また、領域６２０Ｒには、天気情報取得プログラムの処理により得られた天気情報が表示されている。
【０１５８】
図１５は、合成画像を示す図である。図１５（Ａ）は、一例としての、合成画像６００Ｃ１Ａを示す図である。合成画像６００Ｃ１Ａは、ＰＣインＴＶモードで表示部２８０に表示される合成画像である。合成画像６００Ｃ１Ａ内の領域６１０ＲＡは、ＴＶ画像表示領域である。合成画像６００Ｃ１Ａ内の領域６２０ＲＡは、情報表示領域である。領域６２０ＲＡのサイズは、横７００ドット、縦４７０ドットである。
【０１５９】
領域６２０ＲＡには、ＥＰＧ情報取得プログラムの処理により得られたＥＰＧ情報が表示されている。なお、領域６２０ＲＡ内には、背景の画像（ＴＶ画像）が半透明で表示されてもよい。
【０１６０】
図１５（Ｂ）は、一例としての、合成画像６００Ｃ２を示す図である。合成画像６００Ｃ２は、ＴＶインＰＣモードで表示部２８０に表示される合成画像である。合成画像６００Ｃ２内の領域６１０ＲＢは、ＴＶ画像表示領域である。領域６１０ＲＢのサイズは、横６４０ドット、縦４８０ドットである。制御部２２０は、図１０（Ｂ）のＴＶ画像６００Ｂを、領域６１０ＲＢのサイズに縮小する。そして、縮小されたＴＶ画像（以下、縮小ＴＶ画像ともいう）は、領域６１０ＲＢ内に表示される。
【０１６１】
合成画像６００Ｃ２内の領域６２０ＲＢは、情報表示領域である。領域６２０ＲＢには、ＥＰＧ情報取得プログラムの処理により得られたＥＰＧ情報が表示されている。
【０１６２】
図１５（Ｃ）は、一例としての、合成画像６００Ｃ３を示す図である。合成画像６００Ｃ３は、ＴＶバイＰＣモードで表示部２８０に表示される合成画像である。合成画像６００Ｃ３内の領域６１０ＲＣは、ＴＶ画像表示領域である。領域６１０ＲＣのサイズは、横６８３ドット、縦５１２ドットである。制御部２２０は、図１０（Ｂ）のＴＶ画像６００Ｂを、領域６１０ＲＣのサイズに縮小する。そして、縮小ＴＶ画像は、領域６１０ＲＣ内に表示される。合成画像６００Ｃ３内の領域６２０ＲＣは、情報表示領域である。領域６２０ＲＣには、ニュース取得プログラムの処理により得られたニュース情報が表示されている。
【０１６３】
再び、図１１を参照して、ステップＳ５４０の処理が終了すると、ステップＳ５５０に進む。
【０１６４】
ステップＳ５５０では、制御部２２０が、生成した合成画像を、対応する画面モード（たとえば、ＰＣインＴＶモード）で表示部２８０に表示する。その後、ステップＳ５６０に進む。
【０１６５】
ステップＳ５６０では、制御部２２０が、画面モードに応じて、音声出力の切替え処理を行なう。画面モードが、たとえば、ＰＣインＴＶモードである場合、制御部２２０は、左スピーカ２９０Ａからは、ＴＶ画像に対応する主（左）音声とＰＣ画像に対応する音声とを合成した音声を出力させる。また、制御部２２０は、右スピーカ２９０Ｂからは、ＴＶ画像に対応する音声を出力させる。すなわち、全体的には、ＴＶ画像に対応する音声がメインで出力されるようになる。
【０１６６】
また、画面モードが、たとえば、ＴＶインＰＣモードである場合、制御部２２０は、左スピーカ２９０Ａからは、ＴＶ画像に対応する主（左）音声とＰＣ画像に対応する音声とを合成した音声を出力させる。また、制御部２２０は、右スピーカ２９０Ｂからは、ＰＣ画像に対応する音声を出力させる。すなわち、全体的には、ＰＣ画像に対応する音声がメインで出力されるようになる。
【０１６７】
また、画面モードが、たとえば、ＴＶバイＰＣモードである場合、制御部２２０は、左スピーカ２９０Ａからは、ＴＶ画像に対応する主（左）音声と副（右）音声とを合成した音声を出力させる。また、制御部２２０は、右スピーカ２９０Ｂからは、ＰＣ画像に対応する音声を出力させる。すなわち、全体的には、ＴＶ画像に対応する音声と、ＰＣ画像に対応する音声とが同等に出力されるようになる。その後、ステップＳ５７０に進む。
【０１６８】
ステップＳ５７０では、制御部２２０が、所定条件が成立したか否かを判定する。所定条件の一例としては、たとえば、映像信号生成装置１００の電源がオフになり、映像信号生成装置１００からＰＣ画像信号が送信されなくなったという条件である。また、所定条件の一例としては、ＴＶモードのリモコン３００で、ユーザが、戻るキー３４８を押下操作したという条件である。また、所定条件の一例としては、表示部２８０に同じ合成画像が、所定時間（たとえば、１０分）以上表示されたという条件である。
【０１６９】
ステップＳ５７０において、ＹＥＳならば、ステップＳ５７２に進む。一方、ステップＳ５７０において、ＮＯならば、再度、ステップＳ５１０の処理が行なわれる。
【０１７０】
ステップＳ５７２では、合成画像の表示の解除が行なわれる。具体的には、制御部２２０が、表示部２８０に表示する画像を、合成画像からＴＶ画像に切替える。その後、ステップＳ５７４に進む。
【０１７１】
ステップＳ５７４では、音声出力切替えの解除が行なわれる。具体的には、制御部２２０が、左スピーカ２９０Ａおよび右スピーカ２９０Ｂから出力される音声を、ステップＳ５６０の処理が行なわれる前の状態に戻す。その後、再度、ステップＳ５１０の処理が行なわれる。
【０１７２】
以上の処理により、映像出力装置２００は、所定条件が成立した場合（たとえば、映像信号生成装置１００から、情報を表示した画像を表示させるためのＰＣ画像信号を受信しなくなった場合）、ＴＶの視聴の妨げになる画面構成を解除し、通常のテレビ表示を行うことができるようになる。
【０１７３】
再び、図６を参照して、ステップＳ１２０の処理の後、ステップＳ１２２に進む。
ステップＳ１２２では、制御部１２０が、所定時間（たとえば、３０分）ウエイトする。その後、再度、ステップＳ１２０の処理が行なわれる。
【０１７４】
次に、図６のステップＳ１１０で行なわれるにキー受信処理ついて説明する。前述したように、キー受信処理は、画像生成処理と別途独立して、並行して実行される。
【０１７５】
図１６は、キー受信処理のフローチャートである。図１６を参照して、ステップＳ１１１では、制御部１２０が、リモコン信号を受信したか否かを判定する。ステップＳ１１１において、ＹＥＳならば、ステップＳ１１２に進む。一方、ステップＳ１１１において、ＮＯならば、再度、ステップＳ１１１の処理が行なわれる。
【０１７６】
ステップＳ１１２では、受信したリモコン信号が有効であるか否かが判定される。具体的には、制御部１２０が、受信したリモコン信号が、ＩＴモードのリモコン３００の数字キー群３５０の“１”〜“４”のいずれかの数字キーのユーザの押下操作によるリモコン信号であるか否かが判定される。
【０１７７】
ステップＳ１１２において、ＹＥＳならば、ステップＳ１１３に進む。一方、ステップＳ１１２において、ＮＯならば、再度、ステップＳ１１１の処理が行なわれる。
【０１７８】
ステップＳ１１３では、制御部１２０が、受信したリモコン信号に対応する数字キーの番号に対応するプログラム番号のプログラムの実行により、不揮発性メモリ１４２に、情報が記憶されているか否かを判定する。ステップＳ１１３において、ＹＥＳならば、ステップＳ１１４に進む。一方、ステップＳ１１３において、ＮＯならば、再度、ステップＳ１１１の処理が行なわれる。
【０１７９】
ステップＳ１１４では、制御部１２０が、受信したリモコン信号に対応する数字キーの番号に対応するプログラム番号のプログラムの実行により、不揮発性メモリ１４２に記憶されている情報を読み出す。たとえば、数字キーが“１”であれば、制御部１２０は、プログラム番号１の天気予報取得プログラムの実行により、不揮発性メモリ１４２に記憶されている天気予報情報を読み出す。その後、ステップＳ１１６に進む。
【０１８０】
ステップＳ１１６では、制御部１２０が、ステップＳ１１４で取得した情報と、新着情報取得処理に対応するプログラムの各種設定値とに基づいて、ＰＣ画像を生成する。ＰＣ画像の生成方法は、前述した図９のステップＳ２２６で説明したのと同様なので詳細な説明は繰り返さない。その後、ステップＳ１１８に進む。
【０１８１】
ステップＳ１１８では、前述した図９のステップＳ２２８と同様な処理が行われるので詳細な説明は繰り返さない。その後、再度、ステップＳ１１１の処理が行なわれる。
【０１８２】
そして、映像出力装置２００では、前述した図１１の画像信号受信処理が行なわれ、制御部２８０に合成画像が表示される。
【０１８３】
以上の処理により、ユーザは、知りたい情報を知りたい時に知ることができるという効果を奏する。
【０１８４】
以上説明したように本実施の形態における映像システム１０００では、映像出力装置２００は、映像信号生成装置１００から受信する映像信号の種類に応じて、予め登録しておいた画面モードで、ＰＣ画像とＴＶ画像とを同時に表示する。そのため、表示部２８０においてＰＣ画像を表示させる位置情報等を送る通信経路等が不要である。
【０１８５】
したがって、本実施の形態における映像システム１０００によれば、低コストで、異なる２つ以上の映像信号の各々に基づく画像の表示の自由度を向上させた映像出力装置を提供することができるという効果を奏する。
【０１８６】
また、本実施の形態における映像システム１０００によれば、低コストで、異なる２つ以上の映像信号の各々に基づく画像の表示の自由度を向上させた映像出力装置に、映像信号を出力するための映像信号生成装置を提供することができるという効果を奏する。
【０１８７】
＜第２の実施の形態＞
第１の実施の形態では、２画面表示状態において、ＰＣ画像の拡大または縮小処理は行わなかった。本実施の形態では、ＰＣ画像の拡大または縮小を行なう処理について説明する。
【０１８８】
なお、本実施の形態における映像システムは、第１の実施の形態の映像システム１０００と同様なので詳細な説明は繰り返さない。本実施の形態では、映像信号生成装置１００は、画像生成処理Ａを行なう。
【０１８９】
図１７は、画像生成処理Ａのフローチャートである。図１７を参照して、画像生成処理Ａは、図６の画像生成処理と比較して、ステップＳ１１０の代わりにステップＳ１１０Ａが行なわれる点と、ステップＳ１２０の代わりにステップＳ１２０Ａが行なわれる点が異なる。それ以外は、画像生成処理と同様なので詳細な説明は繰り返さない。
【０１９０】
ステップＳ１１０Ａでは、キー受信処理Ａが行なわれる。キー受信処理Ａの説明は後述する。
【０１９１】
ステップＳ１２０Ａでは、制御部１２０が、前述の４つの新着情報取得プログラムを、１つずつ、順に実行し、各新着情報取得プログラムに基づく処理（以下、新着情報取得処理Ａともいう）を行なう。なお、４つの新着情報取得プログラムは、並列的に同時に実行されてもよい。４つの新着情報取得プログラムは、天気予報取得プログラム、ＥＰＧ情報取得プログラム、ニュース取得プログラムおよびメール取得プログラムである。また、新着情報取得処理Ａは、画像生成処理Ａと別途独立して、並行して実行される。
【０１９２】
なお、天気予報取得プログラム、ＥＰＧ情報取得プログラム、ニュース取得プログラムおよびメール取得プログラムの各々で使用される初期設定値は、予め、不揮発性メモリ１４２（または記録媒体７０）に記憶されている。前述したように複数の初期設定値から構成されるデータテーブルを初期設定値テーブルともいう。
【０１９３】
したがって、初期設定値テーブルは、予め、不揮発性メモリ１４２（または記録媒体７０）に記憶されている。本実施の形態では、以下に説明する初期設定値テーブルＴ２００が、予め、不揮発性メモリ１４２（または記録媒体７０）に記憶されている。
【０１９４】
図１８は、一例としての初期設定値テーブルＴ２００を示す図である。図１８を参照して、初期設定値テーブルＴ２００は、図７の初期設定値テーブルＴ１００と比較して、さらに、ＰＣ画像の拡大・縮小の許可または不許可の情報が初期設定値として設定されたテーブルである。また、初期設定値テーブルＴ２００は、初期設定値テーブルＴ１００の信号モードに加え、さらに、プログラム番号５，６に対応する２つの信号モードが設定されている。なお、追加される信号モードは、２つに限定されることなく、３つ以上であってもよい。
【０１９５】
なお、初期設定値テーブルＴ２００内の各初期設定値は、以下に説明するＰＣ設定画像において変更可能である。
【０１９６】
以下に説明するＰＣ設定画像７０００は、リモコン３００がＩＴモードの場合に、ユーザが、設定キー３４６を押下操作することにより、表示部２８０に表示される画像である。
【０１９７】
図１９は、ＰＣ設定画像７０００を示す図である。図１９を参照して、ＰＣ設定画像７０００は、図８のＰＣ設定画像７００と比較して、さらに、設定内容表示領域７５５が配置される点が異なる。それ以外は、ＰＣ設定画像７００と同様なので詳細な説明は繰り返さない。設定内容表示領域７１０，７２０，７３０，７４０，７５０，７５５，７６２，７６４，７７２，７７４の各々には、初期設定値テーブルＴ２００に基づいた初期設定値が表示されている。
【０１９８】
設定内容表示領域７１０は、プログラム番号を設定する領域である。プログラム番号は、“１”〜“６”の範囲で設定可能である。なお、ＰＣ設定画像７０００内の設定内容表示領域７１０に表示されるプログラム番号が変更される毎に、設定内容表示領域７２０，７３０，７４０，７５０，７５５，７６２，７６４，７７２，７７４の各々には、初期設定値テーブルＴ２００におけるプログラム番号に対応する初期設定値が表示される。
【０１９９】
設定内容表示領域７５５は、ＰＣ画像の拡大または縮小を許可するか否かを設定する領域である。したがって、設定内容表示領域７５０での設定内容は、「許可」または「不許可」のいずれかとなる。
【０２００】
なお、ＰＣ設定画像７０００の設定内容表示領域７３０において設定できる信号モードは、「１３６６×７６８，６０Ｈｚ」、「１３６６×７６８，７０Ｈｚ」、「６８３×７６８，６０Ｈｚ」、「６８３×７６８，７０Ｈｚ」に加え、さらに、以下の２つの信号モードが追加される。
【０２０１】
追加される信号モードは、「１０２４×７６８，７０Ｈｚ」、「１０２４×７６８，７２Ｈｚ」である。なお、追加される信号モードは、２つに限定されることなく、３つ以上であってもよい。また、追加される信号モードは、前述の画像サイズと、垂直同期周波数との組合せに限定されることはない。
【０２０２】
表示部２８０にＰＣ設定画像７０００が表示されている場合、ユーザは、前述のＩＴモードのリモコン３００の押下操作により、プログラム番号１〜６にそれぞれ対応する初期設定値を変更することができる。そして、再度、ユーザが、ＩＴモードのリモコン３００の設定キー３４６を押下操作すると、初期設定値に変更があった場合、制御部１２０は、初期設定値テーブルＴ２００内の対応する初期設定値を変更し、不揮発性メモリ１４２（または記録媒体７０）に記憶させる。その後、表示部２８０には、ＰＣ設定画像７０００が表示される前の画像が表示される。
【０２０３】
図２０は、新着情報取得処理Ａのフローチャートである。一例として、プログラム番号５のＥＰＧ情報取得プログラムにより行なわれる新着情報取得処理Ａについて説明する。図２０を参照して、ステップＳ２１０では、情報取得処理が行なわれる。情報取得処理では、実行されるプログラムに応じた処理が行われる。ここでは、実行されるプログラムは、ＥＰＧ情報取得プログラムであるので、以下の情報取得処理Ａが行なわれる。
【０２０４】
情報取得処理Ａでは、制御部１２０が、ネットワーク５０に接続し、予め指定されたインターネットアドレス（ＵＲＬ）から、予め設定された地域情報に対応するＥＰＧ情報を取得する。その後、ステップＳ２２０に進む。
【０２０５】
ステップＳ２２０では、図９の新着情報取得処理のステップＳ２２０と同様な処理が行なわれるので詳細な説明は繰り返さない。ステップＳ２２０において、ＹＥＳならば、ステップＳ２２２に進む。一方、ステップＳ２２０において、ＮＯならば、この新着情報取得処理Ａは終了する。
【０２０６】
ステップＳ２２２では、図９の新着情報取得処理のステップＳ２２２と同様な処理が行なわれるので詳細な説明は繰り返さない。その後、ステップＳ２２４に進む。
【０２０７】
ステップＳ２２４では、図９の新着情報取得処理のステップＳ２２４と同様な処理が行なわれるので詳細な説明は繰り返さない。ステップＳ２２４において、ＹＥＳならば、ステップＳ２２５に進む。一方、ステップＳ２２４において、ＮＯならば、この新着情報取得処理は終了する。
【０２０８】
ステップＳ２２５では、ＰＣ画像の拡大・縮小が許可されているか否かが判定される。具体的には、制御部１２０が、不揮発性メモリ１４２に記憶されている、新着情報取得処理Ａに対応するプログラムのＰＣ画像の拡大・縮小の設定内容が、「許可」となっているか否かを判定する。ステップＳ２２５において、ＹＥＳならば、ステップＳ２２５Ａに進む。一方、ステップＳ２２５において、ＮＯならば、ステップＳ２２６に進む。
【０２０９】
ステップＳ２２５Ａでは、制御部１２０が、新着情報取得処理Ａに対応するプログラムの信号モード、画面モード、情報表示領域の座標、情報表示領域のサイズ、ステップＳ２１０で取得した情報、および新着情報取得処理Ａに対応するプログラムの各種設定値に基づいて、ＰＣ画像を生成する。
【０２１０】
制御部１２０は、信号モードに基づいて生成するＰＣ画像のサイズが、たとえば、１０２４×７６８である場合、一旦、１３６６×７６８のサイズの画像（以下、等倍画像ともいう）を生成する。そして、制御部１２０は、生成した等倍画像を、１０２４×７６８のサイズの画像に変換したＰＣ画像を生成する。その後、ステップＳ２２５Ｂに進む。
【０２１１】
ステップＳ２２５Ｂでは、制御部１２０が、生成したＰＣ画像のＰＣ画像信号を、映像ケーブル１３２を介して、映像出力装置２００へ送信する。なお、送信されるＰＣ画像信号には、プログラム番号に対応して設定された垂直同期周波数（たとえば、７０Ｈｚ）の垂直同期信号が含まれる。その後、この新着情報取得処理Ａは終了する。
【０２１２】
ステップＳ２２６およびステップＳ２２８では、図９の新着情報取得処理のステップＳ２２６およびステップＳ２２８と、それぞれ同様な処理が行なわれるので詳細な説明は繰り返さない。その後、この新着情報取得処理Ａは終了する。
【０２１３】
なお、前述の新着情報取得処理Ａは、プログラム番号５に対応するＥＰＧ情報取得プログラムにより行なわれる処理について説明したが、プログラム番号５を除くプログラム番号１〜６についても前述したのと同様な処理が行なわれる。
【０２１４】
映像出力装置２００では、画像信号受信処理Ａが行なわれる。なお、映像出力装置２００の表示部２８０には、図１０（Ｂ）に示されるＴＶ画像６００Ｂが表示されているとする。
【０２１５】
図２１は、画像信号受信処理Ａのフローチャートである。図２１を参照して、ステップＳ５１０では、図１１の画像信号受信処理のステップＳ５１０と同様な処理が行なわれるので詳細な説明は繰り返さない。ステップＳ５１０において、ＹＥＳならば、ステップＳ５２０に進む。一方、ステップＳ５１０において、ＮＯならば、再度、ステップＳ５１０の処理が行なわれる。
【０２１６】
ステップＳ５２０では、図１１の画像信号受信処理のステップＳ５２０と同様な処理が行なわれるので詳細な説明は繰り返さない。その後、ステップＳ５３０に進む。
【０２１７】
ステップＳ５３０では、制御部２２０は、ステップＳ５２０において、判定した画像サイズと、判定した垂直同期周波数との組合せによる信号モードが、登録済みの信号モードであるか否かを判定する。具体的には、制御部２２０は、判定した画像サイズと、判定した垂直同期周波数との組合せによる信号モードに対応する受信信号対応設定値が、不揮発性メモリ２４２に記憶されているか否かを判定する。
【０２１８】
前述したように、複数の受信信号対応設定値から構成されるデータテーブルは、受信信号対応設定値テーブルである。受信信号対応設定値テーブルは、予め、不揮発性メモリ２４２に記憶されている。本実施の形態において、不揮発性メモリ２４２に記憶されているのは、以下に説明する受信信号対応設定値テーブルＴ２００Ａであるとする。
【０２１９】
図２２は、一例としての受信信号対応設定値テーブルＴ２００Ａを示す図である。図２２を参照して、受信信号対応設定値テーブルＴ２００Ａは、信号モード番号に対応して、信号モード、画面モード、拡大・縮小の許可または不許可の情報、座標、高さ、幅が受信信号対応設定値として設定されたテーブルである。
【０２２０】
なお、受信信号対応設定値テーブルＴ２００Ａ内の各受信信号対応設定値は、以下に説明するＴＶ設定画像において変更可能である。ＴＶ設定画像は、前述したように、映像出力装置２００で実行されるプログラムで使用される設定値を設定（変更）するための設定画像である。
【０２２１】
以下に説明するＴＶ設定画像７０００Ａは、リモコン３００がＴＶモードの場合に、ユーザが、設定キー３４６を押下操作することにより、表示部２８０に表示される画像である。
【０２２２】
図２３は、ＴＶ設定画像７０００Ａを示す図である。図２３を参照して、ＴＶ設定画像７０００Ａは、ＴＶ設定画像７００Ａと比較して、さらに、設定内容表示領域７５５Ａが配置される点が異なる。それ以外は、ＴＶ設定画像７００Ａと同様なので詳細な説明は繰り返さない。設定内容表示領域７１０Ａ，７３０Ａ，７４０Ａ，７５５Ａ，７６２Ａ，７６４Ａ，７７２Ａ，７７４Ａの各々には、受信信号対応設定値テーブルＴ２００Ａに基づいた受信信号対応設定値が表示されている。
【０２２３】
設定内容表示領域７１０Ａは、信号モード番号を設定する領域である。信号モード番号は、“１”〜“６”の範囲で設定可能である。なお、設定内容表示領域７１０Ａに表示される信号モード番号が変更される毎に、設定内容表示領域７３０Ａ，７４０Ａ，７５５Ａ，７６２Ａ，７６４Ａ，７７２Ａ，７７４Ａの各々には、受信信号対応設定値テーブルＴ２００Ａにおける信号モード番号に対応する受信信号対応設定値が表示される。
【０２２４】
設定内容表示領域７３０Ａは、ＰＣ設定画像７０００の設定内容表示領域７３０と同様なので詳細な説明は繰り返さない。
【０２２５】
設定内容表示領域７５５Ａは、ＰＣ設定画像７０００の設定内容表示領域７５５と同様なので詳細な説明は繰り返さない。
【０２２６】
表示部２８０にＴＶ設定画像７０００Ａが表示されている場合、ユーザは、前述のＴＶモードのリモコン３００の押下操作により、信号モード番号１〜６にそれぞれ対応する受信信号対応設定値を変更することができる。そして、再度、ユーザが、ＴＶモードのリモコン３００の設定キー３４６を押下操作すると、受信信号対応設定値に変更があった場合、制御部２２０は、受信信号対応設定値テーブルＴ２００Ａ内の対応する受信信号対応設定値を変更し、不揮発性メモリ２４２に記憶させる。その後、表示部２８０には、ＴＶ設定画像７０００Ａが表示される前の画像が表示される。
【０２２７】
なお、受信信号対応設定値テーブルＴ２００Ａは、予め、不揮発性メモリ２４２に記憶されていなくてもよい。この場合、以下の設定データ複製処理Ａにより、不揮発性メモリ２４２に、受信信号対応設定値テーブルＴ２００Ａのデータが記憶される。
【０２２８】
図２４は、設定データ複製処理Ａのフローチャートである。図２４を参照して、ステップＳ６１０では、図１４の設定データ複製処理のステップＳ６１０と同様な処理が行なわれるので詳細な説明は繰り返さない。ステップＳ６１０において、ＹＥＳならば、ステップＳ６２０Ａに進む。一方、ステップＳ６１０において、ＮＯならば、再度、ステップＳ６１０の処理が行なわれる。
【０２２９】
ステップＳ６２０Ａでは、制御部２２０が、記録媒体７０に初期設定値テーブルＴ２００のデータが記録されているか否かが判定される。ステップＳ６２０Ａにおいて、ＹＥＳならば、ステップＳ６３０Ａに進む。一方、ステップＳ６２０Ａにおいて、ＮＯならば、再度、ステップＳ６１０の処理が行なわれる。
【０２３０】
ステップＳ６３０Ａでは、複製処理Ａが行なわれる。複製処理Ａでは、制御部２２０が、記録媒体７０内の初期設定値テーブルＴ２００のデータにアクセスする。そして、制御部２２０は、初期設定値テーブルＴ２００の各実行プログラム番号に対応する、信号モード、画面モード、拡大・縮小の許可または不許可の情報、座標、高さ、幅のデータを、前述した受信信号対応設定値テーブルＴ２００Ａの各信号モード番号に対応する、信号モード、画面モード、拡大・縮小の許可または不許可の情報、座標、高さ、幅のデータとして、不揮発性メモリ２４２に記憶させる。その後、この設定データ複製処理Ａは終了する。
【０２３１】
以上の処理により、本実施の形態における設定データ複製処理Ａは、図１４の設定データ複製処理と同様な効果を奏することができる。
【０２３２】
再び、図２１を参照して、ステップＳ５３０において、ＹＥＳならば、ステップＳ５４０Ａに進む。一方、ステップＳ５３０において、ＮＯならば、再度、ステップＳ５１０の処理が行なわれる。
【０２３３】
なお、ステップＳ５３０において、ＮＯと判定された場合、すなわち、受信したＰＣ画像信号が登録済みのものでない場合、制御部２２０は、表示部２８０の全領域に、受信したＰＣ画像信号に基づくＰＣ画像を表示させてもよい。
【０２３４】
ステップＳ５４０Ａでは、合成画像生成処理Ａが行なわれる。合成画像生成処理Ａでは、制御部２２０は、不揮発性メモリ２４２に記憶されている受信信号対応設定値テーブルＴ２００Ａに基づいて、受信したＰＣ画像信号の信号モードを判定する。そして、制御部２２０は、判定した信号モードに対応する、画面モード、拡大・縮小の許可または不許可の情報、座標、高さおよび幅のデータに基づいて、ＴＶ画像と、ＰＣ画像とを同時に表示した合成画像を生成する。
【０２３５】
図２５は、合成画像を示す図である。図２５（Ａ）は、一例としての、合成画像６０００Ｃ１を示す図である。合成画像６０００Ｃ１は、ＰＣインＴＶモードで表示部２８０に表示される合成画像である。合成画像６０００Ｃ１内の領域６１００ＲＡは、ＴＶ画像表示領域である。
【０２３６】
合成画像６０００Ｃ１内の領域６２００ＲＡは、情報表示領域である。領域６２００ＲＡのサイズは、横１３６６ドット、縦１９２ドットである。領域６２００ＲＡ内の画像は、拡大・縮小が許可の場合、制御部２２０が、受信したＰＣ画像信号に基づく１３６６×７６８のサイズのＰＣ画像を、ｙ方向にのみ縮小した画像である。また、領域６２００ＲＡには、天気情報取得プログラムの処理により得られた天気情報が表示されている。
【０２３７】
なお、拡大・縮小が不許可の場合、領域６２００ＲＡ内の画像は、制御部２２０が、受信したＰＣ画像信号に基づく１３６６×７６８のサイズのＰＣ画像の領域６２００ＲＡ内の画像となる。
【０２３８】
図２５（Ｂ）は、一例としての、合成画像６０００Ｃ２を示す図である。合成画像６０００Ｃ２は、ＴＶインＰＣモードで表示部２８０に表示される合成画像である。合成画像６０００Ｃ２内の領域６１００ＲＢは、ＴＶ画像表示領域である。領域６１００ＲＢのサイズは、横６４０ドット、縦４８０ドットである。制御部２２０は、図１０（Ｂ）のＴＶ画像６００Ｂを、領域６１００ＲＢのサイズに縮小する。そして、縮小ＴＶ画像は、領域６１００ＲＢ内に表示される。
【０２３９】
合成画像６０００Ｃ２内の領域６２００ＲＢは、情報表示領域である。領域６２００ＲＢ内の画像は、拡大・縮小が許可の場合、制御部２２０が、受信したＰＣ画像信号に基づく１０２４×７６８のサイズのＰＣ画像を、１３６６×７６８のサイズのＰＣ画像に拡大した画像（以下、拡大画像ともいう）である。なお、拡大画像内の領域６１００ＲＢには、縮小ＴＶ画像が表示される。領域６２００ＲＢには、ＥＰＧ情報取得プログラムの処理により得られたＥＰＧ情報が表示されている。
【０２４０】
なお、拡大・縮小が不許可の場合、制御部２２０は、たとえば、１３６６ｘ７６８の任意の画像（たとえば、全面黒色）を作成し、その中央に、受信したＰＣ画像信号に基づく１０２４×７６８のサイズのＰＣ画像を合成した画像を生成する。なお、縮小ＴＶ画像は、領域６１００ＲＢ内に表示される。
【０２４１】
図２５（Ｃ）は、一例としての、合成画像６０００Ｃ３を示す図である。合成画像６０００Ｃ３は、ＴＶバイＰＣモードで表示部２８０に表示される合成画像である。合成画像６０００Ｃ３内の領域６１００ＲＣは、ＴＶ画像表示領域である。領域６１００ＲＣのサイズは、横６８３ドット、縦５１２ドットである。制御部２２０は、図１０（Ｂ）のＴＶ画像６００Ｂを、領域６１００ＲＣのサイズに縮小する。そして、縮小ＴＶ画像は、領域６１００ＲＣ内に表示される。合成画像６０００Ｃ３内の領域６２００ＲＣは、情報表示領域である。領域６２００ＲＣ内の画像は、拡大・縮小が許可の場合、制御部２２０が、受信したＰＣ画像信号に基づく１０２４×７６８のサイズのＰＣ画像を、６８３×７６８のサイズのＰＣ画像に幾何学変換した画像（以下、幾何学変換画像ともいう）である。領域６２００ＲＣには、ニュース取得プログラムの処理により得られたニュース情報が表示されている。
【０２４２】
なお、拡大・縮小が不許可の場合、制御部２２０は、たとえば、受信したＰＣ画像信号に基づく１０２４×７６８のサイズのＰＣ画像を（６８４，０）の座標を起点とし、画面の右端からはみ出す部分を削除した画像を生成する。なお、縮小ＴＶ画像は、領域６１００ＲＣ内に表示される。
【０２４３】
再び、図２１を参照して、ステップＳ５４０Ａの処理が終了すると、ステップＳ５５０に進む。
【０２４４】
ステップＳ５５０では、制御部２２０が、生成した合成画像を、対応する画面モード（たとえば、ＴＶインＰＣモード）で表示部２８０に表示する。その後、ステップＳ５６０に進む。
【０２４５】
ステップＳ５６０，Ｓ５７０，Ｓ５７２，Ｓ５７４の処理は、前述した処理と同様な処理が行われるので詳細な説明は繰り返さない。
【０２４６】
次に、図１７のステップＳ１１０Ａで行なわれるにキー受信処理Ａついて説明する。前述したように、キー受信処理Ａは、画像生成処理Ａと別途独立して、並行して実行される。
【０２４７】
図２６は、キー受信処理Ａのフローチャートである。図２６を参照して、ステップＳ１１１では、図１６のキー受信処理のステップＳ１１１と同様な処理が行なわれるので詳細な説明は繰り返さない。ステップＳ１１１において、ＹＥＳならば、ステップＳ１１２Ａに進む。一方、ステップＳ１１１において、ＮＯならば、再度、ステップＳ１１１の処理が行なわれる。
【０２４８】
ステップＳ１１２Ａでは、受信したリモコン信号が有効であるか否かが判定される。具体的には、制御部１２０が、受信したリモコン信号が、ＩＴモードのリモコン３００の数字キー群３５０の“１”〜“６”のいずれかの数字キーのユーザの押下操作によるリモコン信号であるか否かが判定される。
【０２４９】
ステップＳ１１２Ａにおいて、ＹＥＳならば、ステップＳ１１３に進む。一方、ステップＳ１１２Ａにおいて、ＮＯならば、再度、ステップＳ１１１の処理が行なわれる。
【０２５０】
ステップＳ１１３では、図１６のキー受信処理のステップＳ１１３と同様な処理が行なわれるので詳細な説明は繰り返さない。ステップＳ１１３において、ＹＥＳならば、ステップＳ１１４に進む。一方、ステップＳ１１３において、ＮＯならば、再度、ステップＳ１１１の処理が行なわれる。
【０２５１】
ステップＳ１１４では、図１６のキー受信処理のステップＳ１１４と同様な処理が行なわれるので詳細な説明は繰り返さない。その後、ステップＳ１１５Ａに進む。
【０２５２】
ステップＳ１１５Ａでは、ＰＣ画像の拡大・縮小が許可されているか否かが判定される。具体的には、制御部１２０が、不揮発性メモリ１４２に記憶されている、新着情報取得処理Ａに対応するプログラムのＰＣ画像の拡大・縮小の設定内容が、「許可」となっているか否かを判定する。ステップＳ１１５Ａにおいて、ＹＥＳならば、ステップＳ１１５Ｂに進む。一方、ステップＳ１１５Ａにおいて、ＮＯならば、ステップＳ１１６に進む。
【０２５３】
ステップＳ１１５Ｂでは、制御部１２０が、新着情報取得処理Ａに対応するプログラムの信号モード、画面モード、情報表示領域の座標、情報表示領域のサイズ、ステップＳ１１４で取得した情報と、新着情報取得処理に対応するプログラムの各種設定値とに基づいて、ＰＣ画像を生成する。ＰＣ画像の生成方法は、図２０の新着情報取得処理ＡのステップＳ２２５Ａで説明したのと同様なので詳細な説明は繰り返さない。その後、ステップＳ１１５Ｃに進む。
【０２５４】
ステップＳ１１５Ｃでは、前述した図２０のステップＳ２２５Ｂと同様な処理が行われるので詳細な説明は繰り返さない。その後、再度、ステップＳ１１１の処理が行なわれる。
【０２５５】
ステップＳ１１６では、制御部１２０が、ステップＳ１１４で取得した情報と、新着情報取得処理に対応するプログラムの各種設定値とに基づいて、ＰＣ画像を生成する。ＰＣ画像の生成方法は、前述した図９のステップＳ２２６で説明したのと同様なので詳細な説明は繰り返さない。その後、ステップＳ１１８に進む。
【０２５６】
ステップＳ１１８では、前述した図９のステップＳ２２８と同様な処理が行われるので詳細な説明は繰り返さない。その後、再度、ステップＳ１１１の処理が行なわれる。
【０２５７】
そして、映像出力装置２００では、前述した図２１の画像信号受信処理Ａが行なわれ、制御部２８０に合成画像が表示される。
【０２５８】
以上の処理により、ユーザは、知りたい情報を知りたい時に知ることができるという効果を奏する。
【０２５９】
以上説明したように本実施の形態における映像システム１０００では、第１の実施の形態の奏する効果に加え、多種多様なＰＣ画像信号に対応することができる。したがって、異なる２つ以上の映像信号の各々に基づく画像の表示の自由度をさらに向上させた映像出力装置を提供することができるという効果を奏する。
【０２６０】
また、本実施の形態における映像システム１０００によれば、低コストで、異なる２つ以上の映像信号の各々に基づく画像の表示の自由度をさらに向上させた映像出力装置に、映像信号を出力するための映像信号生成装置を提供することができるという効果を奏する。
【０２６１】
＜第３の実施の形態＞
第１および第２の実施の形態では、２画面表示状態において、ＰＣ画像およびＴＶ画像のうち、サイズが小さい画像の形は、矩形に限定されていた。本実施の形態では、サイズが小さい画像の形を矩形に限定しない処理について説明する。
【０２６２】
なお、本実施の形態における映像システムは、第１の実施の形態の映像システム１０００と同様なので詳細な説明は繰り返さない。本実施の形態では、映像信号生成装置１００は、画像生成処理Ｂを行なう。
【０２６３】
図２７は、画像生成処理Ｂのフローチャートである。図２７を参照して、画像生成処理Ｂは、図６の画像生成処理と比較して、ステップＳ１１０の代わりにステップＳ１１０Ｂが行なわれる点と、ステップＳ１２０の代わりにステップＳ１２０Ｂが行なわれる点が異なる。それ以外は、画像生成処理と同様なので詳細な説明は繰り返さない。
【０２６４】
ステップＳ１１０Ｂでは、キー受信処理Ｂが行なわれる。キー受信処理Ｂの説明は後述する。
【０２６５】
ステップＳ１２０Ｂでは、制御部１２０が、前述の４つの新着情報取得プログラムを、１つずつ、順に実行し、各新着情報取得プログラムに基づく処理（以下、新着情報取得処理Ｂともいう）を行なう。なお、４つの新着情報取得プログラムは、並列的に同時に実行されてもよい。４つの新着情報取得プログラムは、天気予報取得プログラム、ＥＰＧ情報取得プログラム、ニュース取得プログラムおよびメール取得プログラムである。また、新着情報取得処理Ａは、画像生成処理Ａと別途独立して、並行して実行される。
【０２６６】
なお、天気予報取得プログラム、ＥＰＧ情報取得プログラム、ニュース取得プログラムおよびメール取得プログラムの各々で使用される初期設定値は、予め、不揮発性メモリ１４２（または記録媒体７０）に記憶されている。前述したように複数の初期設定値から構成されるデータテーブルを初期設定値テーブルともいう。
【０２６７】
したがって、初期設定値テーブルは、予め、不揮発性メモリ１４２（または記録媒体７０）に記憶されている。本実施の形態では、以下に説明する初期設定値テーブルＴ３００が、予め、不揮発性メモリ１４２（または記録媒体７０）に記憶されている。
【０２６８】
図２８は、一例としての初期設定値テーブルＴ３００を示す図である。図２８を参照して、初期設定値テーブルＴ３００は、初期設定値テーブルＴ２００と比較して、さらに、透過色の使用の許可または不許可の情報、透過色のＲ値，Ｇ値，Ｂ値が初期設定値として設定されたテーブルである。
【０２６９】
なお、初期設定値テーブルＴ３００内の各初期設定値は、以下に説明するＰＣ設定画像において変更可能である。
【０２７０】
以下に説明するＰＣ設定画像８００は、リモコン３００がＩＴモードの場合に、ユーザが、設定キー３４６を押下操作することにより、表示部２８０に表示される画像である。
【０２７１】
図２９は、ＰＣ設定画像８００を示す図である。図２９を参照して、ＰＣ設定画像８００は、図１９のＰＣ設定画像７０００と比較して、さらに、設定内容表示領域７５７，７５８Ａ，７５８Ｂ，７５８Ｃが配置される点が異なる。それ以外は、ＰＣ設定画像７０００と同様なので詳細な説明は繰り返さない。設定内容表示領域７１０，７２０，７３０，７４０，７５０，７５５，７５７，７５８Ａ，７５８Ｂ，７５８Ｃ，７６２，７６４，７７２，７７４の各々には、初期設定値テーブルＴ３００に基づいた初期設定値が表示されている。
【０２７２】
設定内容表示領域７１０は、プログラム番号を設定する領域である。プログラム番号は、“１”〜“６”の範囲で設定可能である。なお、設定内容表示領域７１０に表示されるプログラム番号が変更される毎に、設定内容表示領域７２０，７３０，７４０，７５０，７５５，７５７，７５８Ａ，７５８Ｂ，７５８Ｃ，７６２，７６４，７７２，７７４の各々には、初期設定値テーブルＴ３００におけるプログラム番号に対応する初期設定値が表示される。
【０２７３】
設定内容表示領域７５７は、透過色の使用を許可するか否かを設定する領域である。したがって、設定内容表示領域７５７での設定内容は、「許可」または「不許可」のいずれかとなる。
【０２７４】
設定内容表示領域７５８Ａ，７５８Ｂ，７５８Ｃは、透過色の使用が許可の場合、それぞれ、透過色のＲ値、Ｇ値およびＢ値を設定する領域である。設定可能な数値の範囲は、“０”〜“２５５”の範囲である。なお、数値の設定は、前述した設定内容表示領域７６２と同様に、ＩＴモードのリモコン３００の操作により行なうことができる。
【０２７５】
なお、透過色の使用が許可の場合、設定内容表示領域７６２，７６４，７７２，７７４の各々の各々の値は、映像出力装置２００において合成画像を生成する際使用されない。
【０２７６】
表示部２８０にＰＣ設定画像８００が表示されている場合、ユーザは、前述のＩＴモードのリモコン３００の押下操作により、プログラム番号１〜６にそれぞれ対応する初期設定値を変更することができる。そして、再度、ユーザが、ＩＴモードのリモコン３００の設定キー３４６を押下操作すると、初期設定値に変更があった場合、制御部１２０は、初期設定値テーブルＴ３００内の対応する初期設定値を変更し、不揮発性メモリ１４２（または記録媒体７０）に記憶させる。その後、表示部２８０には、ＰＣ設定画像８００が表示される前の画像が表示される。
図３０は、新着情報取得処理Ｂのフローチャートである。一例として、プログラム番号１の天気予報取得プログラムにより行なわれる新着情報取得処理について説明する。図３０を参照して、ステップＳ２１０では、図９の新着情報取得処理のステップＳ２１０と同様な処理が行なわれるので詳細な説明は繰り返さない。その後、ステップＳ２２０に進む。
【０２７７】
ステップＳ２２０では、図９の新着情報取得処理のステップＳ２２０と同様な処理が行なわれるので詳細な説明は繰り返さない。ステップＳ２２０において、ＹＥＳならば、ステップＳ２２２に進む。一方、ステップＳ２２０において、ＮＯならば、この新着情報取得処理は終了する。
【０２７８】
ステップＳ２２２では、図９の新着情報取得処理のステップＳ２２２と同様な処理が行なわれるので詳細な説明は繰り返さない。その後、ステップＳ２２４に進む。
【０２７９】
ステップＳ２２４では、図９の新着情報取得処理のステップＳ２２４と同様な処理が行なわれるので詳細な説明は繰り返さない。ステップＳ２２４において、ＹＥＳならば、ステップＳ２２４Ａに進む。一方、ステップＳ２２４において、ＮＯならば、この新着情報取得処理Ｂは終了する。
【０２８０】
ステップＳ２２４Ａでは、透過色の使用が許可されているか否かが判定される。具体的には、制御部１２０が、不揮発性メモリ１４２に記憶されている、新着情報取得処理Ｂに対応するプログラムの透過色の使用の設定内容が、「許可」となっているか否かを判定する。ステップＳ２２４Ａにおいて、ＹＥＳならば、ステップＳ２２４Ｂに進む。一方、ステップＳ２２４Ｂにおいて、ＮＯならば、ステップＳ２２６に進む。
【０２８１】
ステップＳ２２４Ｂでは、制御部１２０が、新着情報取得処理Ｂに対応するプログラムの信号モード、画面モード、透過色のＲ値，Ｇ値，Ｂ値、ステップＳ２１０で取得した情報、および新着情報取得処理Ｂに対応するプログラムの各種設定値に基づいて、ＰＣ画像を生成する。
【０２８２】
図３１は、映像信号生成装置１００が生成する画像を示す図である。図３１（Ａ）は、一例としてのＰＣ画像９００を示す図である。図３１（Ａ）を参照して、ＰＣ画像９００には、領域９１０Ｒと、領域９２０Ｒとが配置される。領域９２０Ｒは、ＰＣ画像９００内の領域９１０Ｒ以外の領域である。領域９１０Ｒは、情報表示領域である。
【０２８３】
領域９２０Ｒ内は、指定されたＲ値（２５５），Ｇ（２５５）値，Ｂ（０）値の透過色が着色される。領域９１０Ｒには、新着情報取得処理に対応するプログラムの実行により得られた情報が表示される。
【０２８４】
ステップＳ２２４Ｂの処理の後、ステップＳ２２４Ｃに進む。
ステップＳ２２４Ｃでは、制御部１２０が、生成したＰＣ画像のＰＣ画像信号を、映像ケーブル１３２を介して、映像出力装置２００へ送信する。なお、送信されるＰＣ画像信号には、プログラム番号に対応して設定された垂直同期周波数（たとえば、６０Ｈｚ）の垂直同期信号が含まれる。その後、この新着情報取得処理Ｂは終了する。
【０２８５】
ステップＳ２２６およびステップＳ２２８では、図９の新着情報取得処理のステップＳ２２６およびステップＳ２２８と、それぞれ同様な処理が行なわれるので詳細な説明は繰り返さない。その後、この新着情報取得処理Ｂは終了する。
【０２８６】
なお、前述の新着情報取得処理Ｂは、プログラム番号１に対応する天気予報取得プログラムにより行なわれる処理について説明したが、プログラム番号２〜６についても前述したのと同様な処理が行なわれる。
【０２８７】
映像出力装置２００では、画像信号受信処理Ｂが行なわれる。なお、映像出力装置２００の表示部２８０には、図１０（Ｂ）に示されるＴＶ画像６００Ｂが表示されているとする。
【０２８８】
図３２は、画像信号受信処理Ｂのフローチャートである。図３２を参照して、ステップＳ５１０では、図１１の画像信号受信処理のステップＳ５１０と同様な処理が行なわれるので詳細な説明は繰り返さない。ステップＳ５１０において、ＹＥＳならば、ステップＳ５２０に進む。一方、ステップＳ５１０において、ＮＯならば、再度、ステップＳ５１０の処理が行なわれる。
【０２８９】
ステップＳ５２０では、図１１の画像信号受信処理のステップＳ５２０と同様な処理が行なわれるので詳細な説明は繰り返さない。その後、ステップＳ５３０に進む。
【０２９０】
ステップＳ５３０では、制御部２２０は、ステップＳ５２０において、判定した画像サイズと、判定した垂直同期周波数との組合せによる信号モードが、登録済みの信号モードであるか否かを判定する。具体的には、制御部２２０は、判定した画像サイズと、判定した垂直同期周波数との組合せによる信号モードに対応する受信信号対応設定値が、不揮発性メモリ２４２に記憶されているか否かを判定する。
【０２９１】
前述したように、複数の受信信号対応設定値から構成されるデータテーブルを受信信号対応設定値テーブルである。受信信号対応設定値テーブルは、予め、不揮発性メモリ２４２に記憶されている。本実施の形態において、不揮発性メモリ２４２に記憶されているのは、以下に説明する受信信号対応設定値テーブルＴ３００Ａであるとする。
【０２９２】
図３３は、一例としての受信信号対応設定値テーブルＴ３００Ａを示す図である。図３３を参照して、受信信号対応設定値テーブルＴ３００Ａは、信号モード番号に対応して、信号モード、画面モード、拡大・縮小の許可または不許可の情報、透過色の使用の許可または不許可の情報、透過色のＲ値，Ｇ値，Ｂ値、座標、高さ、幅が受信信号対応設定値として設定されたテーブルである。
【０２９３】
なお、受信信号対応設定値テーブルＴ３００Ａ内の各受信信号対応設定値は、以下に説明するＴＶ設定画像において変更可能である。ＴＶ設定画像は、前述したように、映像出力装置２００で実行されるプログラムで使用される設定値を設定（変更）するための設定画像である。
【０２９４】
以下に説明するＴＶ設定画像８００Ａは、リモコン３００がＴＶモードの場合に、ユーザが、設定キー３４６を押下操作することにより、表示部２８０に表示される画像である。
【０２９５】
図３４は、ＴＶ設定画像８００Ａを示す図である。図３４を参照して、ＴＶ設定画像８００Ａは、図２３のＴＶ設定画像７０００Ａと比較して、さらに、設定内容表示領域７５７Ａ，７５８ＡＡ，７５８ＢＡ，７５８ＣＡが配置される点が異なる。それ以外は、ＴＶ設定画像７０００Ａと同様なので詳細な説明は繰り返さない。設定内容表示領域７１０Ａ，７３０Ａ，７４０Ａ，７５５Ａ，７５７Ａ，７５８ＡＡ，７５８ＢＡ，７５８ＣＡ，７６２Ａ，７６４Ａ，７７２Ａ，７７４Ａの各々には、受信信号対応設定値テーブルＴ３００Ａに基づいた受信信号対応設定値が表示されている。
【０２９６】
設定内容表示領域７１０Ａは、信号モード番号を設定する領域である。信号モード番号は、“１”〜“６”の範囲で設定可能である。なお、設定内容表示領域７１０Ａに表示される信号モード番号が変更される毎に、設定内容表示領域７３０Ａ，７４０Ａ，７５５Ａ，７５７Ａ，７５８ＡＡ，７５８ＢＡ，７５８ＣＡ，７６２Ａ，７６４Ａ，７７２Ａ，７７４Ａの各々には、受信信号対応設定値テーブルＴ３００Ａにおける信号モード番号に対応する受信信号対応設定値が表示される。
【０２９７】
設定内容表示領域７５７Ａは、ＰＣ設定画像８００の設定内容表示領域７５７と同様なので詳細な説明は繰り返さない。
【０２９８】
なお、透過色の使用が許可の場合、設定内容表示領域７６２Ａ，７６４Ａ，７７２Ａ，７７４Ａの各々の各々の値は、映像出力装置２００において合成画像を生成する際使用されない。
【０２９９】
設定内容表示領域７５８ＡＡ，７５８ＢＡ，７５８ＣＡは、ＰＣ設定画像８００の設定内容表示領域７５８Ａ，７５８Ｂ，７５８Ｃと同様なので詳細な説明は繰り返さない。
【０３００】
表示部２８０にＴＶ設定画像８００Ａが表示されている場合、ユーザは、前述のＴＶモードのリモコン３００の押下操作により、信号モード番号１〜６にそれぞれ対応する受信信号対応設定値を変更することができる。そして、再度、ユーザが、ＴＶモードのリモコン３００の設定キー３４６を押下操作すると、受信信号対応設定値に変更があった場合、制御部２２０は、受信信号対応設定値テーブルＴ３００Ａ内の対応する受信信号対応設定値を変更し、不揮発性メモリ２４２に記憶させる。その後、表示部２８０には、ＴＶ設定画像８００Ａが表示される前の画像が表示される。
【０３０１】
なお、受信信号対応設定値テーブルＴ３００Ａは、予め、不揮発性メモリ２４２に記憶されていなくてもよい。この場合、以下の設定データ複製処理Ｂにより、不揮発性メモリ２４２に、受信信号対応設定値テーブルＴ３００Ａのデータが記憶される。
【０３０２】
図３５は、設定データ複製処理Ｂのフローチャートである。図３５を参照して、ステップＳ６１０では、図１４の設定データ複製処理のステップＳ６１０と同様な処理が行なわれるので詳細な説明は繰り返さない。ステップＳ６１０において、ＹＥＳならば、ステップＳ６２０Ｂに進む。一方、ステップＳ６１０において、ＮＯならば、再度、ステップＳ６１０の処理が行なわれる。
【０３０３】
ステップＳ６２０Ｂでは、制御部２２０が、記録媒体７０に初期設定値テーブルＴ３００のデータが記録されているか否かが判定される。ステップＳ６２０Ｂにおいて、ＹＥＳならば、ステップＳ６３０Ｂに進む。一方、ステップＳ６２０Ｂにおいて、ＮＯならば、再度、ステップＳ６１０の処理が行なわれる。
【０３０４】
ステップＳ６３０Ｂでは、複製処理Ｂが行なわれる。複製処理Ｂでは、制御部２２０が、記録媒体７０内の初期設定値テーブルＴ３００のデータにアクセスする。そして、制御部２２０は、初期設定値テーブルＴ３００の各実行プログラム番号に対応する、信号モード、画面モード、拡大・縮小の許可または不許可の情報、透過色の使用の許可または不許可の情報、透過色のＲ値，Ｇ値，Ｂ値、座標、高さ、幅のデータを、前述した受信信号対応設定値テーブルＴ３００Ａの各信号モード番号に対応する、信号モード、画面モード、拡大・縮小の許可または不許可の情報、透過色の使用の許可または不許可の情報、透過色のＲ値，Ｇ値，Ｂ値、座標、高さ、幅のデータとして、不揮発性メモリ２４２に記憶させる。その後、この設定データ複製処理Ｂは終了する。
【０３０５】
以上の処理により、本実施の形態における設定データ複製処理Ｂは、図１４の設定データ複製処理と同様な効果を奏することができる。
【０３０６】
再び、図３２を参照して、ステップＳ５３０において、ＹＥＳならば、ステップＳ５４０Ｂに進む。一方、ステップＳ５３０において、ＮＯならば、再度、ステップＳ５１０の処理が行なわれる。
【０３０７】
ステップＳ５４０Ｂでは、合成画像生成処理Ｂが行なわれる。合成画像生成処理Ｂでは、制御部２２０は、不揮発性メモリ２４２に記憶されている受信信号対応設定値テーブルＴ３００Ａに基づいて、受信したＰＣ画像信号の信号モードを判定する。そして、制御部２２０は、判定した信号モードに対応する透過色の使用の情報が「許可」である場合、判定した信号モードに対応する、画面モード、拡大・縮小の許可または不許可の情報および透過色のＲ値，Ｇ値，Ｂ値に基づいて、ＴＶ画像と、ＰＣ画像とを同時に表示した合成画像を生成する。すなわち、制御部２２０は、合成画像を生成する際、座標、高さ、幅のデータを使用しない。
【０３０８】
再び、図３１を参照して、図３１（Ｂ）は、一例としての、合成画像９００Ｃを示す図である。合成画像９００Ｃは、ＰＣインＴＶモードで表示部２８０に表示される合成画像である。合成画像９００Ｃ内の領域９２０Ｒは、ＴＶ画像表示領域である。領域９２０Ｒ内には、たとえば、図１０（Ｂ）のＴＶ画像６００Ｂ内の、領域９２０Ｒに対応する領域内のＴＶ画像が表示される。したがって、制御部２２０は、ＰＣ画像９００内の指定された透過色のＲ値（２５５），Ｇ値（０），Ｂ値（０）を有する画素の部分にＴＶ画像を表示させた画像を生成する。
【０３０９】
合成画像９００Ｃ内の領域９１０Ｒは、情報表示領域である。領域９１０Ｒの形状は、楕円である。なお、領域９１０Ｒの形状は、楕円に限定されることなく、矩形以外の形状であればどのような形状（たとえば、星型）であってもよい。また、領域９１０Ｒには、天気情報取得プログラムの処理により得られた天気情報が表示されている。
【０３１０】
以上のような合成画像９００Ｃを表示部２８０に表示することにより、ＴＶ画像に、矩形以外の形状のＰＣ画像を重ねて表示することが可能となる。
【０３１１】
一方、制御部２２０は、判定した信号モードに対応する透過色の使用の情報が「不許可」である場合、判定した信号モードに対応する、画面モード、拡大・縮小の許可または不許可の情報、座標、高さおよび幅のデータに基づいて、ＴＶ画像と、ＰＣ画像とを同時に表示した合成画像を生成する。この場合、生成される合成画像は、たとえば、図２５の合成画像６０００Ｃ１、合成画像６０００Ｃ２、または合成画像６０００Ｃ３となる。
【０３１２】
再び、図３２を参照して、ステップＳ５４０Ｂの処理が終了すると、ステップＳ５５０に進む。
【０３１３】
ステップＳ５５０では、制御部２２０が、生成した合成画像を、対応する画面モード（たとえば、ＰＣインＴＶモード）で表示部２８０に表示する。その後、ステップＳ５６０に進む。
【０３１４】
ステップＳ５６０，Ｓ５７０，Ｓ５７２，Ｓ５７４の処理は、前述した処理と同様な処理が行われるので詳細な説明は繰り返さない。
【０３１５】
次に、図２７のステップＳ１１０Ｂで行なわれるにキー受信処理Ｂついて説明する。前述したように、キー受信処理Ｂは、画像生成処理Ｂと別途独立して、並行して実行される。
【０３１６】
図３６は、キー受信処理Ｂのフローチャートである。図３６を参照して、ステップＳ１１１では、図２６のキー受信処理ＡのステップＳ１１１と同様な処理が行なわれるので詳細な説明は繰り返さない。ステップＳ１１１において、ＹＥＳならば、ステップＳ１１２Ａに進む。一方、ステップＳ１１１において、ＮＯならば、再度、ステップＳ１１１の処理が行なわれる。
【０３１７】
ステップＳ１１２Ａでは、図２６のキー受信処理ＡのステップＳ１１２Ａと同様な処理が行なわれるので詳細な説明は繰り返さない。ステップＳ１１２Ａにおいて、ＹＥＳならば、ステップＳ１１３に進む。一方、ステップＳ１１２Ａにおいて、ＮＯならば、再度、ステップＳ１１１の処理が行なわれる。
【０３１８】
ステップＳ１１３では、図２６のキー受信処理ＡのステップＳ１１３と同様な処理が行なわれるので詳細な説明は繰り返さない。ステップＳ１１３において、ＹＥＳならば、ステップＳ１１４に進む。一方、ステップＳ１１３において、ＮＯならば、再度、ステップＳ１１１の処理が行なわれる。
【０３１９】
ステップＳ１１４では、図２６のキー受信処理ＡのステップＳ１１４と同様な処理が行なわれるので詳細な説明は繰り返さない。その後、ステップＳ１１４Ａに進む。
【０３２０】
ステップＳ１１４Ａでは、図３０のステップＳ２２４Ａと同様な処理が行なわれるので詳細な説明は繰り返さない。ステップＳ１１４Ａにおいて、ＹＥＳならば、ステップＳ１１４Ｂに進む。一方、ステップＳ１１４Ａにおいて、ＮＯならば、ステップＳ１１６に進む。
【０３２１】
ステップＳ１１４Ｂでは、制御部１２０が、図３０のステップＳ２２４Ｂと同様な処理により、ＰＣ画像を生成する。その後、ステップＳ１１４Ｃに進む。
【０３２２】
ステップＳ１１４Ｃでは、図３０のステップＳ２２４Ｃと同様な処理が行われるので詳細な説明は繰り返さない。その後、再度、ステップＳ１１１の処理が行なわれる。
【０３２３】
ステップＳ１１６では、図２６のキー受信処理ＡのステップＳ１１６と同様な処理が行なわれるので詳細な説明は繰り返さない。その後、ステップＳ１１８に進む。
【０３２４】
ステップＳ１１８では、図２６のキー受信処理ＡのステップＳ１１８と同様な処理が行なわれるので詳細な説明は繰り返さない。その後、再度、ステップＳ１１１の処理が行なわれる。
【０３２５】
そして、映像出力装置２００では、前述した図３２の画像信号受信処理Ｂが行なわれ、制御部２８０に合成画像が表示される。
【０３２６】
以上の処理により、ユーザは、知りたい情報を知りたい時に知ることができるという効果を奏する。
【０３２７】
以上説明したように本実施の形態における映像システム１０００では、第１および第２の実施の形態の奏する効果に加え、さらに、多種多様なＰＣ画像信号に対応することができる。したがって、異なる２つ以上の映像信号の各々に基づく画像の表示の自由度をさらに向上させた映像出力装置を提供することができるという効果を奏する。
【０３２８】
また、本実施の形態における映像システム１０００によれば、低コストで、異なる２つ以上の映像信号の各々に基づく画像の表示の自由度をさらに向上させた映像出力装置に、映像信号を出力するための映像信号生成装置を提供することができるという効果を奏する。
【０３２９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０３３０】
【図１】本実施の形態における映像システムの構成を示すブロック図である。
【図２】不揮発性メモリに記憶されているプログラムを示す図である。
【図３】本実施の形態におけるリモコンの外部構成を示す図である。
【図４】本実施の形態における表示部に表示される画像を説明するための図である。
【図５】本実施の形態における表示部に表示される画像の一例を示す図である。
【図６】画像生成処理のフローチャートである。
【図７】一例としての初期設定値テーブルを示す図である。
【図８】ＰＣ設定画像を示す図である。
【図９】新着情報取得処理のフローチャートである。
【図１０】映像信号生成装置が生成する画像を示す図である。
【図１１】画像信号受信処理のフローチャートである。
【図１２】一例としての受信信号対応設定値テーブルを示す図である。
【図１３】ＴＶ設定画像を示す図である。
【図１４】設定データ複製処理のフローチャートである。
【図１５】合成画像を示す図である。
【図１６】キー受信処理のフローチャートである。
【図１７】画像生成処理Ａのフローチャートである。
【図１８】一例としての初期設定値テーブルを示す図である。
【図１９】ＰＣ設定画像を示す図である。
【図２０】新着情報取得処理Ａのフローチャートである。
【図２１】画像信号受信処理Ａのフローチャートである。
【図２２】一例としての受信信号対応設定値テーブルを示す図である。
【図２３】ＴＶ設定画像を示す図である。
【図２４】設定データ複製処理Ａのフローチャートである。
【図２５】合成画像を示す図である。
【図２６】キー受信処理Ａのフローチャートである。
【図２７】画像生成処理Ｂのフローチャートである。
【図２８】一例としての初期設定値テーブルを示す図である。
【図２９】ＰＣ設定画像を示す図である。
【図３０】新着情報取得処理Ｂのフローチャートである。
【図３１】映像信号生成装置が生成する画像を示す図である。
【図３２】画像信号受信処理Ｂのフローチャートである。
【図３３】一例としての受信信号対応設定値テーブルを示す図である。
【図３４】ＴＶ設定画像を示す図である。
【図３５】設定データ複製処理Ｂのフローチャートである。
【図３６】キー受信処理Ｂのフローチャートである。
【符号の説明】
【０３３１】
７０  記録媒体、１００  映像信号生成装置、１２０，２２０  制御部、１４２，２４２  不揮発性メモリ、２００  映像出力装置２００、１０００  映像システム。
【図１】
0005172081.tif 000002
【図２】
0005172081.tif 000003
【図３】
0005172081.tif 000004
【図４】
0005172081.tif 000005
【図５】
0005172081.tif 000006
【図６】
0005172081.tif 000007
【図７】
0005172081.tif 000008
【図８】
0005172081.tif 000009
【図９】
0005172081.tif 000010
【図１１】
0005172081.tif 000011
【図１２】
0005172081.tif 000012
【図１３】
0005172081.tif 000013
【図１４】
0005172081.tif 000014
【図１６】
0005172081.tif 000015
【図１７】
0005172081.tif 000016
【図１８】
0005172081.tif 000017
【図１９】
0005172081.tif 000018
【図２０】
0005172081.tif 000019
【図２１】
0005172081.tif 000020
【図２２】
0005172081.tif 000021
【図２３】
0005172081.tif 000022
【図２４】
0005172081.tif 000023
【図２５】
0005172081.tif 000024
【図２６】
0005172081.tif 000025
【図２７】
0005172081.tif 000026
【図２８】
0005172081.tif 000027
【図２９】
0005172081.tif 000028
【図３０】
0005172081.tif 000029
【図３１】
0005172081.tif 000030
【図３２】
0005172081.tif 000031
【図３３】
0005172081.tif 000032
【図３４】
0005172081.tif 000033
【図３５】
0005172081.tif 000034
【図３６】
0005172081.tif 000035
【図１０】
0005172081.tif 000036
【図１５】
0005172081.tif 000037